(57)【要約】【課題】投票カードに起因する機械的な機構を排除することにより、信頼性が高い電子投票装置を提供する。【解決手段】遠隔制御信号受信部２０３２にて、外部からの制御信号を受信して、選挙人の身体特性に応じた候補者表示手段２０３１と投票入力手段２０３７１，２０３８１，２０３９１とを選択して電子投票装置２０３を投票可能な状態とする。その後、ＣＰＵ４５１は、選挙人の投票が終了する毎に投票不可能な状態に切り換えて電子投票装置２０３を投票終了状態にするようにする。【選択図】      図９
2004295779.tif 000002
【特許請求の範囲】
【請求項１】
複数の電子投票装置と、
投票ハガキと引き替えに適格選挙人を確定して、各前記適格選挙人が電子投票をする毎に、前記複数の電子投票装置の中から１の電子投票装置を択一し、択一した１の電子投票装置を用いて電子投票が可能となるように、前記複数の電子投票装置を択一制御する制御装置とを備えた電子投票システムに用いられる前記電子投票装置であって、
前記制御装置から送信され、前記複数の電子投票装置のそれぞれに付された装置識別情報を含む制御信号を受信する受信手段と、
前記受信手段で受信した前記制御信号中から当該装置に係る装置識別情報を検出する検出手段と、
前記検出手段で当該装置に係る装置識別情報を検出すると、投票停止状態である当該装置を投票可能状態に切り換え、この切り換え後に前記適格選挙人の電子投票が終了すると、投票可能状態である当該装置を再び投票停止状態に切り換える切換手段とを備えたことを特徴とする電子投票装置。
【請求項２】
請求項１に記載の電子投票装置において、
更に、
選挙人の身体特性に応じた候補者表示手段と、
前記選挙人の身体特性に応じた投票入力手段と、
前記制御信号は、前記選挙人の身体特性を識別するＩＤ情報と
前記検出手段で当該装置に係る装置識別情報を検出した場合、更に前記ＩＤ情報に応じた前記候補者表示手段と投票入力手段と選択して、投票停止状態である当該装置を投票可能状態に切り換え、この切り換え後に前記適格選挙人の電子投票が終了すると、投票可能状態である当該装置を再び投票停止状態に切り換える切換手段とを備えたことを特徴とする電子投票装置。
【発明の詳細な説明】
【０００１】
【発明の属する技術分野】
本発明は、国内外の公職選挙などの際に、情報処理装置を用いて投票を行うための電子投票装置に関する。
【０００２】
【従来の技術】
近年の情報技術（ＩＴ：Ｉｎｆｏｒｍａｔｉｏｎ  Ｔｅｃｈｎｏｌｏｇｙ）の進展に伴い、選挙のＩＴ化を目的とした電子投票システムの技術開発が行われている。総務省のホームページ上で公開されている「電子機器利用による選挙システム研究会報告書」および「同中間報告書」によれば、今後の電子投票の普及形態は、
［第１段階］  選挙人が指定された投票所において電子投票装置を用いて投票する段階（ネットワークを使用しない投票）
［第２段階］  指定された投票所以外の投票所においても投票できる段階（専用回線を使用したネットワーク投票）
［第３段階］  投票所での投票を義務づけず、個人の所有するコンピュータ端末を用いて投票する段階（公衆回線を使用したネットワーク投票）
の３つの段階を経ることが予想されている。現在の電子投票制度は、日本国内はもとより、諸外国においても、一部の試験的選挙を除いて未だ第１段階にある。第２段階及び第３段階は、ネットワークセキュリティの問題や、個人認証の方法等に課題を有しており、実用化のめどはたっていない。
【０００３】
上述した第１段階の形態により電子投票を実施する場合には、一人一票の原則と無記名投票の原則の双方を守るために、いわゆる投票カードを用いる方法が従来より公然知られている（例えば、特許文献１参照。）。これは、受付時に投票する権利を有する選挙の種類を記録した投票カードを選挙人一人一枚ずつ貸与し、選挙人がその投票カードを投票装置に挿入すると当該投票装置が投票可能な状態に移行して、投票操作を行なうことが可能となるものである。投票が終了すると、投票カードには投票済の情報が記録されるため、同一選挙人が再び投票を行なうこと（二重投票）は不可能となり、したがって一人一票の原則が守られる。また、投票カードには選挙人を特定しうるような情報は一切記録しないように運用されるため、無記名投票の原則も同時に守られる。尚、投票カードを用いた電子投票が、２００２年６月２３日に岡山県新見市において公然実施されている（例えば、非特許文献１参照。）。
【０００４】
【特許文献１】
特開平６−３５９３４号公報（）
【０００５】
【非特許文献１】
岡山県新見市選挙管理委員会ホームページ
（  ＨＹＰＥＲＬＩＮＫ  ”ｈｔｔｐ：／／ｗｗｗ．ｃｉｔｙ．ｎｉｉｍｉ．ｏｋａｙａｍａ．ｊｐ／ｓｏｓｈｉｋｉ／ｓｅｎｋｙｏ／”  ｈｔｔｐ：／／ｗｗｗ．ｃｉｔｙ．ｎｉｉｍｉ．ｏｋａｙａｍａ．ｊｐ／ｓｏｓｈｉｋｉ／ｓｅｎｋｙｏ／）
【０００６】
【発明が解決しようとする課題】
ところが、上述した従来の投票カードを使用する電子投票装置は、カードを読み取るためのメカニカルな機構が存在するために、装置の繰り返し使用による部品の消耗や、投票カードの汚れ等により、不測の障害発生が避けられないという問題があった。このようなカードに関する障害は、金融機関のＡＴＭ（現金自動受払機）でさえ、日常しばしば目にするものである。信頼性が何より大切な公職選挙の場においては、かかる障害はできる限りゼロにしなければならない。
【０００７】
また、普段からＡＴＭ等を使い慣れないお年寄りや身体に障害をもつ人にとっては、自ら投票カードを持って装置のカード挿入口に入れる動作は決して容易なものではない。本出願人は、これまで全国で行なった模擬投票のアンケート結果に基づき、電子投票装置のカード挿入口の位置や形状、色彩等の改良を行なってきた。しかしながら、上述した実際の選挙の際には、投票カードの挿入に関わるいくつかのトラブルが発生し、今後早急に解決すべき課題であるとの報道がなされるに至っている。
【０００８】
本発明は、以上の点に鑑みなされたもので、外部からの制御信号を受信して、電子投票装置を投票可能な状態にするようにする。その後、選挙人の投票が終了する毎に投票不可能な状態に切り換えて投票終了とすることで、投票カードに起因する障害が発生することのない電子投票装置を提供することを目的とする。
また、外部からの制御信号に電子投票装置を識別するための第１の識別コードを付加することにより、投票に使用する電子投票装置を選択して、投票可能な状態とする電子投票装置を提供することを目的とする。
更には、選挙人の身体特性に応じた候補者表示手段と投票入力手段とを有した電子投票装置においては、選挙人の身体特性を識別する第２の識別コードをにより選挙人の身体特性に応じた電子投票装置を選択して、投票可能な状態とする電子投票装置を提供することを目的とする。
【０００９】
【課題を解決するための手段】
本発明は、上記課題を解決するために、以下の１）および２）記載の手段よりなる。
すなわち、
１）複数の電子投票装置と、
投票ハガキと引き替えに適格選挙人を確定して、各前記適格選挙人が電子投票をする毎に、前記複数の電子投票装置の中から１の電子投票装置を択一し、択一した１の電子投票装置を用いて電子投票が可能となるように、前記複数の電子投票装置を択一制御する制御装置とを備えた電子投票システムに用いられる前記電子投票装置であって、
前記制御装置から送信され、前記複数の電子投票装置のそれぞれに付された装置識別情報を含む制御信号を受信する受信手段と、
前記受信手段で受信した前記制御信号中から当該装置に係る装置識別情報を検出する検出手段と、
前記検出手段で当該装置に係る装置識別情報を検出すると、投票停止状態である当該装置を投票可能状態に切り換え、この切り換え後に前記適格選挙人の電子投票が終了すると、投票可能状態である当該装置を再び投票停止状態に切り換える切換手段とを備えたことを特徴とする電子投票装置。
【００１０】
２）１）に記載の電子投票装置において、
更に、
選挙人の身体特性に応じた候補者表示手段と、
前記選挙人の身体特性に応じた投票入力手段と、
前記制御信号は、前記選挙人の身体特性を識別するＩＤ情報と
前記検出手段で当該装置に係る装置識別情報を検出した場合、更に前記ＩＤ情報に応じた前記候補者表示手段と投票入力手段と選択して、投票停止状態である当該装置を投票可能状態に切り換え、この切り換え後に前記適格選挙人の電子投票が終了すると、投票可能状態である当該装置を再び投票停止状態に切り換える切換手段とを備えたことを特徴とする電子投票装置。
【００１１】
【発明の実施の形態】
以下、本発明の電子投票装置の発明の実施の形態につき、好ましい実施例により説明する。
図１は、本実施例に適用される電子投票装置による投票所システムの概略構成を示す図である。同図に示すように、選挙における各々の投票所に設置されるシステムである投票所システム２００は、複数の電子投票装置２０３ａ〜２０３ｄ、及び遠隔制御装置２０１により構成する。遠隔制御装置は、各々の電子投票装置をスタンバイ状態から投票可能な状態に移行させるための制御信号を赤外線または電波等の電磁波により発信する機能を有している。例えば、投票所に来場した選挙人が受付において、本人の確認を済ませたとすると、投票すべき投票装置（例えば図１における２０３ｂ）が選挙事務従事者により告げられて、選挙人はその投票機に向かう。選挙事務従事者は、選挙人が無事その電子投票装置２０３ｂの前に到達したことを確認した後、遠隔制御装置２０１により、電子投票装置２０３ｂをスタンバイ状態から投票可能状態へ移行させる信号（以下、投票開始信号という）を送信する。
【００１２】
投票開始信号は、赤外線や電波等の電磁波を変調すことにより搬送され、投票装置２０３ｂが有する遠隔制御信号受信部２０３２により、復調されて受信され、投票開始状態となる。このとき、受信される投票開始信号には、当該選挙人が実施可能な選挙（市長選挙、市議会選挙等）、当該選挙人に適合する入力機器（タッチパネル、キーボード等）及び出力機器（液晶ディスプレイ、点字ディスプレイ、ヘッドホン等）の組み合わせの情報が含まれている。選挙人は、適合する入出力機器を用いて、投票装置２０３ｂが出力する候補者画面に従い、投票したい候補者を選択し、確認入力を行なうことにより、投票を確定させる。投票が確定すると、投票機は、自動的に、最初のスタンバイ状態すなわち、投票不可能な状態に戻る。ここで、投票開始信号には、選挙人を特定しうるような情報は一切含まれていないため、投票の秘密は担保される。また、投票終了後には投票不可能な状態となるため二重投票も禁止される。
【００１３】
以下に、本実施例を構成するハードウェア及びソフトウェアについて、よりくわしく説明する。
図２は、本実施例に適用される電子投票装置２０３を用いた電子投票システムの全体構成の一例を示す図である。同図に示す電子投票システムは、選挙管理委員会や中央選挙管理会などの選挙管理組織によって管理されるものであり、大別して、選挙データ作成システム１００、投票所システム２００、開票所システム３００により構成される。なお、選挙データ作成システム１００は全国の自治体毎に複数存在し、また投票所システム２００も、各々の選挙データ作成システム１００に対して投票区毎に複数設置されるシステムであり、さらに開票所システム３００も開票区毎に複数設置される。したがって、複数の選挙データ作成システム１００、及び複数の投票所システム２００、複数の開票所システムが存在するが、同図では、簡略のため、１つの選挙データ作成システム１００、２つの投票所システム２００、２つの開票所システム３００のみが図示されている。
【００１４】
選挙データ作成システム１００は、選挙データ管理作成機１０１と選挙データメディアコピー機１０２とを有している。選挙データ管理作成機１０１は、実施選挙の種類４０２（単記式候補者選挙や、非拘束名簿式比例代表選挙などの選挙の種類のこと）、認証キー４０３及び投票プログラム４０４の管理、候補者名・政党登録の更新・削除などを管理し、候補者画面と選挙データから構成される候補者データ４０１を作成することにより、後述する電子投票装置用や遠隔制御装置用及び投票データ収集・集計機用の選挙データマスター４００を投票前に事前に作成するサブシステムである。
【００１５】
特に、候補者名・政党名の登録の際には、候補者の氏名、所属政党、読み仮名、経歴、公約などのデータをテキスト形式データとして、ハードディスクやメモリなどの格納手段（不図示）内に格納する。また、これらのデータは、視覚障害者に対して音声ガイドを行なうために、ＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）やＭＰ３（エム・ピー・スリー：ＭＰＥＧ−１／Ａｕｄｉｏ  Ｌａｙｅｒ３、ＭＰＥＧ：Ｍｏｔｉｏｎ  Ｐｉｃｔｕｒｅ  Ｅｘｐｅｒｔｓ  Ｇｒｏｕｐ）などの適切な圧縮形式の音声データとして記憶される。さらに、候補者の顔写真やポスターなどの画像情報などはＪＰＥＧ（ジェイペグ：  Ｊｏｉｎｔ  Ｐｈｏｔｏｇｒａｐｈｉｃ  Ｅｘｐｅｒｔｓ  Ｇｒｏｕｐ）などの適切な圧縮形式の画像データとして記憶される。なお、この選挙データ管理作成機１０１は、ＰＣ（パーソナルコンピュータ：  Ｐｅｒｓｏｎａｌ  Ｃｏｍｐｕｔｅｒ）によって実現可能である。
【００１６】
選挙データ管理作成機１０１が作成する選挙データマスター４００には、投票プログラム４０４、候補者データ４０１、カード認証キー４０３が記録される。カード認証キー４０３とは、本実施例では、遠隔制御信号の読取りを認証するためのキーである。選挙データマスター４００は、通常１つのメディアとして作成され、選挙管理組織（以下、選挙管理委員会、選管ともいう）が有する試験用機器により試験され、承認された場合に、選挙データメディアコピー機１０２に移送される。
【００１７】
選挙データメディアコピー機１０２は、選管によって試験されて承認された選挙データマスター４００のデータを、複数のメディアに複製するための装置である。この選挙データメディアコピー機１０２により作成されるメディアは、後述する投票所システム２００を構成する電子投票装置２０３に対して配布される記録媒体（複写用メディア）４０９と投票所の遠隔制御装置に対して配布される記録媒体（遠隔制御装置用メディア）２０２である。
【００１８】
複写用メディア４０９には、投票プログラム４０４、候補者データ４０１、カード認証キー４０３が、選挙データマスター４００から複製され、記録される。なお、複写用メディア４０９とは別に原本用メディア４０８が用意され、原本用メディア４０８には、データを何も記録しない空き状態で電子投票装置２０３に配布される。投票プログラム４０４とは、電子投票装置２０３において、画面及び音声ガイダンスなどを含む候補者データ４０１とカード認証キー４０３を用いて、投票の制御と投票データの記録管理を実行するアプリケーションプログラムである。また、カード認証キー４０３とは、投票カード初期化や投票カードの有効性の認証を行なうためのデータである。
【００１９】
遠隔制御装置２０１に予め内蔵される発行機用メディア２０２には、実施選挙の種類４０２、カード認証キー４０３が、選挙データメディアコピー機により選挙データマスター４００から複製され、記録される。発行機用メディア２０２とは、遠隔制御装置２０１を起動するために必要な記録媒体である。メディアとしてはフロッピー（登録商標）ディスク（以下ＦＤと記す）などが使用される。
【００２０】
投票所システム２００は、既に図１で説明したように、遠隔制御装置２０１と電子投票装置２０３を有している。遠隔制御装置２０１は、住民基本台帳に基づいて作成された選挙人名簿又は抄本に記載された選挙人にあらかじめ配布された入場整理券（主に、選挙人に郵送される葉書）との対照により本人確認を行った後、記載されている選挙人特性（障害の種類）に応じて、遠隔制御信号４０６を発行するための装置である。この遠隔制御信号４０６には、後述する図３９において図示されるように選挙人の障害の種類を示す選挙人特性ＩＤ２０２１、言語区分、選挙の種類を示す選挙ＩＤ、投票種別、などのデータが記憶される。
【００２１】
遠隔制御装置２０１は、投票管理者が所有管理する運用管理信号４０５をも発行する機能を有する。投票管理者は、遠隔制御装置２０１を使い、認証キー４０３を使用して作成した固有の投票所ＩＤ４０５５（以下、管理ＩＤともいう）を運用管理信号４０５として送信する。運用管理信号４０５には、選挙管理委員会が生成した全投票所で共通の認証キー４０３を用いて生成される投票所ＩＤ４０５５も含まれるように構成する。運用管理信号４０５は、投票所ＩＤ４０５５は投票所毎に異なる固有値を取る必要がある。運用管理信号４０５は、電子投票装置２０３が受信すると、電子投票装置２０３に装着された複写用メディア４０９上の認証キー４０３を使用して運用管理信号４０５の読取りを認証し、投票所ＩＤ４０５５を読み取る。読み取られた投票所ＩＤ４０５５は、電子投票装置２０３のＲＡＭ４５３（ディスクメモリ等）に格納される。こうして、投票所に固有の投票所ＩＤが遠隔制御装置２０１から電子投票装置２０３に伝播され、電子投票装置２０３が、選挙人から投票開始信号４０６を受付可能な状態となる。このとき、投票開始信号４０６は、この投票所ＩＤ（管理ＩＤ）を含むように構成するため、この投票所における遠隔制御装置２０１で発行された投票制御信号４０６以外は、異なる投票所ＩＤを有することから、受け付けられないこととなる。
【００２２】
投票制御信号４０６には、投票所ＩＤ４０５５以外に、選挙人が入出力手段を選択できる情報が遠隔制御装置２０１において記録される。例えば、入場整理券の選挙人特性欄に視覚障害者の記載がある選挙人の投票制御信号４０６には、投票所において視覚障害者であることを示す選挙人特性ＩＤ２０２１が記録され、選挙人に貸与される。この選挙人が投票制御信号４０６を電子投票装置２０３が受信した場合、視覚障害者用の投票モードになり、適切な表示入力モードが選択される。なお、この投票制御信号４０６には、憲法１５条に定められた投票の秘密を守るため、カードを使用する選挙人を特定できるような個人情報を含めてはならない。
【００２３】
電子投票装置２０３は、投票所に複数台設置され、選挙人による投票を受け付けるための装置である。電子投票装置２０３は、投票所に設置された時点では、選挙に係るデータは何ら格納されておらず、空の投票箱の状態である。選挙データシステム１００から電子投票装置２０３に対して実施選挙に係るデータの移送が完了して初めて、電子投票装置としての機能を果たすようになる。すなわち、選挙データメディアコピー機１０２から可搬性のある複写用メディア４０９により、投票プログラム４０４及び候補者データ４０１、認証キー４０３が移送され、電子投票装置２０３の記憶手段（後述するＲＡＭ４５３）に記録される。
【００２４】
また電子投票装置２０３は、投票終了後においては、選挙人の投票内容を記録した投票データ４０７及び電子投票プログラム（以下投票プログラムとも言う）４０４などの電子投票装置２０３内部に存在する選挙に係る全てのデータは、記憶手段が揮発性メモリを使用していることにより、電源切断時にＲＡＭ４５３から自動的に消去される。そして、メモリカードなどの可搬性のある記録媒体（すなわち原本用メディア４０８及び複写用メディア４０９）が開票所システム３００に送致される。このように、投票時間の間だけ、電子投票装置２０３に選挙に係るデータやソフトウェアが置かれるようにすることによって、第三者による不正操作の危険を極めて低くすることが可能となる。
【００２５】
電子投票装置２０３は、投票日の投票開始時刻の前に、遠隔制御装置２０１から受信した運用管理信号に含まれる識別コードである投票所ＩＤ４０５５を、投票開始に先立って電子投票装置内部に記憶する機能を有する。そして、電子投票装置２０３は、投票開始時刻の後には、本人確認を済ませた有権者（以下、選挙人、投票者ともいう）に対して遠隔制御装置２０１から送信された投票開始信号４０６を読み取る機能を有する。投票開始信号４０６には、同一投票所内では上述した運用管理信号４０５に記録されたものと同一の投票所ＩＤが記録されており、電子投票装置２０３が投票開始信号４０６を受信したときに、認証キー４０３によりデータ読取りの認証が成功した後に、投票開始信号４０６に含まれる投票所ＩＤを読み込んで電子投票装置内部の投票所ＩＤと比較照合することにより、受信した投票開始信号の真正性を判定する。また電子投票装置２０３が受信する投票開始信号４０６には、投票所ＩＤ４０５５の他に、上記した選挙人特性ＩＤ２０２１や、投票可能な選挙の種類（図３では実施選挙の種類４０２として図示）に対応する投票権利を示す投票フラグ２０２２が含まれている。これらのデータは、上記投票所ＩＤ４０５５の照合が成功した後に、順次読み取られる。
【００２６】
なお、本実施例においては、投票所システム２００における複数の電子投票装置２０３の各々が投票データ４０７を記録可能な電磁的記録媒体を有するよう構成しているが、これを、投票所システム２００内でローカルエリアネットワーク（ＬＡＮ）を構築し、各々の電子投票装置２０３のデータをオンラインで１台のサーバに伝送し、サーバが可搬性のある電磁的記録媒体に投票データ４０７を記録するようなシステム構成としてもよい。
【００２７】
開票所システム３００は、データ収集・集計機３０１、集計結果を印刷するプリンタを有している。
投票データ収集・集計機３０１は、複数の投票所に設置されて電子投票装置２０３の投票データ４０７及び投票装置シリアル番号２０３ｓ（個々の電子投票装置の製造時に付与されたシリアル番号）を収集し、両者を関連付けて格納手段（不図示）に格納するための装置である。本実施例では、投票データ４０７の収集方法としては、可搬性のある原本用メディア４０８による物理的な搬送手段を用いる。なお、本発明の他の実施形態として、投票所システム２００と開票所システム３００とを電気通信回線によりネットワーク接続し、電磁的記録媒体４０８、４０９に記録されたデータを読み出して、ネットワーク伝送するように構成することも可能である。このような電磁的記録媒体とネットワークを併用するハイブリッド方式のネットワーク型システムを採用した場合、常時接続を必要とせず、投票所を閉じる時刻の後に一括してデータ伝送を行なうことができるため、伝送におけるセキュリティをより高めることが可能である。
【００２８】
図３は、本実施例に適用される電子投票装置２０３の外装の一例を示す斜視図である。電子投票装置２０３は、液晶表示装置２０３１１（以下ＬＣＤともいう。ＬＣＤ：Ｌｉｑｕｉｄ  Ｃｒｙｓｔａｌ  Ｄｉｓｐｌａｙ）及びタッチパネル２０３１３、及び図示しないタッチパネルコントロール基板、後述するインバータ基板２０３１２並びに筐体部から構成されるディスプレイユニット２０３１を有している。ＬＣＤ２０３１１は、投票に係る情報を、投票者に視覚的に報知する。本実施例におけるＬＣＤ２０３１１のサイズは１５インチであり、誰にとっても見やすい大きさの画面表示を行なうのに十分な大きさと解像度（１０２４×７６８画素）を有している。
【００２９】
タッチパネル２０３１３は、上記ＬＣＤの上面に重ね合わせて配置され、指やスタイラスペンで触れることにより座標入力が可能な抵抗膜式の透明タブレットである。タッチパネル２０３１３は、ＬＣＤ以上の解像度（４０９６×４０９６画素）を有しており、ＬＣＤ上にＧＵＩ（グラフィカル・ユーザー・インターフェース：Ｇｒａｐｈｉｃａｌ  Ｕｓｅｒ  Ｉｎｔｅｒｆａｃｅ）により表示された操作ボタンをタッチパネル上から押下する際に、確実な識別が可能となっている。また、投票カード４０６の読取りを行なう遠隔制御信号受信部２０３２を有する。さらに、音声による投票操作ガイドを行なうスピーカ（音声出力手段）２０３３を有している。
【００３０】
また、電子投票装置２０３は、投票所の投票管理者が管理する南京鍵２０３０ａによって開閉可能なフロントドア２０３０を有している。フロントドア２０３０の内部には、後述するように、投票データ４０７や投票ログ４０７５等を記録する記録媒体（原本用メディア４０８、複写用メディア４０９）を挿入するスロット等が格納されており、フロントドア２０３０を本南京錠２０３０ａにより施錠することにより、第三者によるメディアへの不正脱着を防止することとしている。また、フロントドア２０３０には、開閉状態を電気的に検出可能なセンサ２０３１０が配置されており、投票中においては、フロントドア２０３０が開いた場合に、異常として検出し、状態表示灯２０３０１の操作表示灯２０３０１ｂに表示する。
【００３１】
ＬＣＤおよびタッチパネルを含むディスプレイユニット２０３１は、誰にとっても利用しやすい高さおよび形状を実現するため、水平面に対して１５度の傾きを有するように構成されており、投票所において電子投票装置２０３を自書式投票用の記載台の上に設置した際に、立位の投票者による目視が容易であり、かつ投票者背面によりの盗み見を防止できるような角度に設定されている。
【００３２】
電子投票装置２０３は、状態表示灯２０３０１を除く外装部の大きさが、幅３５０ｍｍ×奥行３５０ｍｍ×高さ１９０ｍｍであり、図示しない保管箱に収納した状態で５段の積み重ねが可能である。また、従来自書式投票において使用されてきた記載台の上にも設置することが可能である。また、電子投票装置２０３の重量は約８ｋｇ程度であるので一人で十分運搬可能であり、投票所への運搬又は設置等の選挙事務に支障のない重量である。
【００３３】
図４は、本実施例に適用される電子投票装置２０３の外装の一例を示す斜視図である。ディスプレイユニット２０３１の筐体部は、表示面の傾き（チルト）を調整可能な機構をさらに有し、しかもタッチパネル操作時に安定性を有する支持機構（図示せず）を具備させて、車椅子の選挙人等が座した状態でも操作し易いようなバリアフリー仕様とすることが好ましい。ただし、この表示面の角度は、必ずしも任意の角度に調整可能であるように構成する必要はない。同図は、表示面を設置面に対して９０度（垂直）に配置した場合の斜視図である。図４及び図５に図示するように、表示部の傾きは、水平面（設置面）に対して１５度または９０度の２種類のみから投票者が選択することとしても、実際上差し支えないことが、全国の身体障害者に対する実地試験により明らかになっている。そこで、これ以外の角度に対する調整機構を省略することにより、図示しない支持機構の製作費用を低減することができる。なお、表示部を立てた状態で使用するときは、投票時に、背後にいる人間の盗み見により投票の秘密が漏れないように、投票所の壁面を背にする等、適切な向きで設置することが好ましい。
【００３４】
図５は、本実施例に適用される電子投票装置２０３の外装の一例を示す上面図である。同図に示す電子投票装置２０３の上面図は、ディスプレイユニット２０３１を倒した状態（すなわち水平面から１５度の状態）を図示している。電子投票装置２０３は、ロックブラケット２０３０ｂを有している。ロックブラケット２０３０ｂは、南京錠２０３０ａ等の鍵のシャックル部が貫通できるような穴を有しており、その穴の径は、鍵のシャックル部が十分に出し入れできる程に大きく、かつ施錠時にフロントドア２０３２にガタが生じない程度の大きさを有している。
また、電子投票装置２０３は、スタイラスペン２０３１ａを保持するペンホルダ２０３１ｂを有している。電子投票装置２０３のタッチパネル入力操作に使用するスタイラスペン２０３１ａは、投票者がタッチパネルを指で触れる代わりに選択的に用いるものであり、適度に先の尖ったペン形状の物品であれば、どのようなものでも使用可能である。
【００３５】
電子投票装置２０３は、スライドカバー２０３５を有している。同図では、スライドカバー２０３５が半分だけ開いた状態が図示されている。スライドカバー内部に、状態表示灯２０３０１を電子投票装置内部のハードウェアに接続するための状態表示灯ケーブル２０３０１ｄを有している。状態表示灯ケーブル２０３０１ｄは、ポール２０３０１ｃの内部を通し、本体リア部にコネクタ接続される。この状態表示灯ケーブル２０３０１ｄは、後述する電子投票装置内部のマザーボード４５０及び直流電源２０３１５に接続され、投票操作及び電源状態をランプの点灯状態により表示することにより、電子投票装置２０３から離れた場所にいる人が視覚的にモニター可能である。
【００３６】
なお、図５には図示されていないが、スライドカバー内部には、表示または入力に関するバリアフリーオプションを接続するための複数の端子が配置されている。例えば、候補者選択項目が巡回的に移動するスキャン入力画面において使用可能な運動機能障害用プッシュスイッチ２０３７１で行なう投票モードで使用する運動機能障害用プッシュスイッチ端子２０３７を有する。また、視覚的に候補者画面表示を認識困難な選挙人が使用可能な、触覚認識用ピンディスプレイ及び盲人用キーボードを配置した視覚障害者用専用キーボード２０３８１を接続する視覚障害者用専用キーボード端子２０３８を有する。さらに、ディスプレイユニット２０３１を使用せずに音声のみで投票を行なう投票モードで使用する音量調整付きヘッドホン２０３９１を接続するヘッドホン端子２０３９等が配置されている。
【００３７】
図６は本実施例に適用される電子投票装置２０３の外装の一例を示す正面図である。電子投票装置２０３が有する状態表示灯２０３０１は、電源表示灯２０３０１ａ、操作表示灯２０３０１ｂ、ポール２０３０１ｃから構成されている。電源表示灯２０３０１ａは、操作表示灯とは異なる色（例えば赤色）のＬＥＤ（発光ダイオード：Ｌｉｇｈｔ−Ｅｍｉｔｔｉｎｇ  Ｄｉｏｄｅ）により構成され、消灯、点滅、点灯の３状態により、ＡＣ電源２０３１６、ＤＣ電源２０３１５（停電用に電子投票装置に内蔵された内部バッテリ又は電子投票装置に接続した外部バッテリ）等の電源駆動状態の確認表示を行なう。例えば、ＬＥＤ消灯状態をＡＣ電源供給駆動中、ＬＥＤ点滅状態をＡＣ電源供給無し、かつ外部バッテリ接続無し（内蔵バッテリ駆動中）、ＬＥＤ点灯状態をＡＣ電源供給無し、かつ外部バッテリ接続駆動中などと定義することにより、電子投票装置から離れた投票立会人等が電源状態を常に視覚的に監視することができる。操作表示灯２０３０１ｂは、上記した電源表示灯とは異なる色（例えば緑色）のＬＥＤにより構成され、消灯、点滅、点灯の３状態により、  投票状態の確認表示を行なう。
【００３８】
例えば、ＬＥＤ点灯状態を投票中、ＬＥＤ消灯状態を投票待ち受け中、ＬＥＤ点滅状態をエラー発生時などと定義し、投票管理者や投票立会人が不正操作が行われていないかどうか、電子投票装置２０３から離れた位置から監視することができる。エラー発生の例としては、投票データを記録する記録媒体や電源スイッチ等を格納するフロントドア２０３２が投票中に開いたことをフロントドア開閉センサ２０３１０で検出した場合等が挙げられる。ポール２０３０１ｃは、伸縮自在な４段式ポールであり、先端部に２色のＬＥＤ（緑、赤）を取付けた構造となっている。本実施例では、最大延長時約１１０ｃｍの長さを有し、記載台（高さ７５ｃｍ）に設置した際の高さが、有権者の平均的な身長よりも高くなるようにして、投票所内の投票管理者や投票立会人が監視しやすいように設定されている。
【００３９】
電子投票装置２０３は、投票確定ＬＥＤ２０３４を有している。投票確定ＬＥＤ２０３４とは、選挙人による候補者選択確認後、原本用メディア４０８に投票データ４０７及び投票ログ４０７５が正常に記録された場合、投票データ４０７の投票確定が完了したことを示す表示ＬＥＤである。ただし、投票確定は、後述するように、投票データ４０７と投票ログ４０７５が原本用メディア４０８に記録確認された時点で成立する。また、投票確定ＬＥＤ２０３４は、投票操作中に不測の障害が発生した場合に、投票が完了しているか否かを明確にさせる機能をも有している。
【００４０】
図７は本実施例に適用される電子投票装置２０３の外装の一例を示す正面図（フロントドアオープン時）である。フロントドア２０３２の内部には、原本用記録媒体用スロット２０３０３、複写用メディア用スロット２０３０４、電源スイッチ２０３２が格納されている。投票時においては、フロントドア２０３２は、ロックブラケット２０３０ｂ部分に小型の南京錠２０３０ａにより、投票管理者が施錠を行なうので、第三者が不正にフロントドア内部に触れることが禁止されている。なお、同図には図示されていないが、フロントドア開閉センサ２０３１０も格納されており、不測のフロントドアの開錠を監視するための二重鍵の機能を果たしている。
【００４１】
原本用メディア用スロット２０３０３に装着される原本用メディア４０８とは、選挙人により、候補者選択確認後最初に投票データ４０７が記録される記録媒体をいう。通常は投票データ記録後、投票ログ４０７５も記録される。投票所へ送付される原本用メディア４０８は、一般的にデータが何も記録されていないブランクメディアであり、投票データは「ゼロ票」である必要がある。また、複写用メディア用スロット２０３０４に装着される複写用メディア４０９とは、原本用メディア４０８のバックアップ用として、原本用メディアに投票データ記録後に同一データが複写記録される媒体をいう。投票所へ送付される複写用メディアは、電子投票装置２０３を立ち上げるための投票プログラム４０４、候補者データ４０１、認証キー４０３等のデータが供給される場合もある。これらの記録媒体として、ＦＤ等や、書き換え型コンパクトディスク（ＣＤ−ＲＷ：Ｃｏｍｐａｃｔ  Ｄｉｓｋ  Ｒｅｗｒｉｔａｂｌｅ）等の様々な電磁的記録媒体（電子的方式、磁気的方式その他人間の知覚によっては認識することのできない方式で作られる記録であって、電子計算機による情報処理の用に供されるものに係る記録媒体）を使用することが可能であるが、本実施例においてはメカ部不要の不揮発性メモリであるコンパクト・フラッシュ・メモリカード（ＣＦ：Ｃｏｍｐａｃｔ  Ｆｌａｓｈ）を使用することにより、故障要因を排除することとしている。
【００４２】
これらのコンパクト・フラッシュ・メモリカードは、コンパクト・フラッシュ・メモリカードアダプター（メモリカードソケット）を使用して、原本用メディア用スロット２０３０３、複写用メディア用スロット２０３０４に装着される。メモリカードソケットは、コンパクト・フラッシュ・タイプ１専用ＰＣＭＣＩＡ（ＰＣＭＣＩＡ：Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ：ＰＣカードの規格管理を行っている団体）  インターフェースカードを使用することができる。原本用メディア用スロット２０３０３、複写用メディア用スロット２０３０４は、ダブルプッシュボタンタイプ（対メディアソケット）、すなわちメディア脱着レバーが一度目のプッシュ操作で脱着操作が有効となり、二度目のプッシュでメディアが脱着される機構タイプのもので構成されており、装着されたメモリカードを容易に脱着可能である。
【００４３】
電源スイッチ２０３２は、電子投票装置２０３の、ＡＣ１００Ｖ商用電源の投入・切断を行なうスイッチである。実際の電源電圧の入力状態は、電源ランプ２０３０８又は電源表示灯２０３０１ａ等で確認することができる。
【００４４】
図８は本実施例に適用される電子投票装置２０３の外装の一例を示す背面図である。電子投票装置２０３は、ボリューム２０３３ａ、電源ケーブル、外部ディスプレイ端子２０３０２等を有している。ボリューム２０３３ａは、上記したスピーカ２０３３の音量を調整するために用いられる。装置背面部分に、ボリューム２０３３ａを配置したのは、投票中において、選挙人がみだりにボリューム操作を行なうこと防止するためである。一方、施錠されたフロントドア２０３２内部に配置しなかったのは、必要なときは投票立会人が投票プログラムを中断させることなく随時調整を行なうことを可能とするためである。なお、ディスプレイユニット２０３１を使用せずに、音声ガイダンスによる投票を行なう選挙人がバリアフリー用ヘッドホン２０３９１を使用する場合には、バリアフリー用ヘッドホン２０３９１をヘッドホン端子２０３９に接続した際に、スピーカ音量が自動的に切断される。ヘッドホンの音量調整は、付属の音量調整機能を用いて行なう。
【００４５】
電子投票装置２０３は、外部ディスプレイ端子２０３０２を有している。外部ディスプレイ端子２０３０２には、例えば、頭部に装着して使用する視覚用ディスプレイであるヘッドマウントディスプレイを接続することが可能である。これは、起き上がることが困難な選挙人や、不随意運動を伴う肢体不自由の選挙人のようにディスプレイユニット２０３１を継続的に視野に入れることが難しい選挙人が、ディスプレイユニット２０３１の代わりに使用することができる。
【００４６】
図９は、本実施例に適用される電子投票装置２０３内部のハードウェア構成の一例を示す図である。マザーボード４５０は、その基板上に、ＣＰＵ４５１（ＣＰＵ：Ｃｅｎｔｒａｌ  Ｐｒｏｃｅｓｓｉｎｇ  Ｕｎｉｔ）、ＲＯＭ４５２（ＲＯＭ：Ｒｅａｄ  Ｏｎｌｙ  Ｍｅｍｏｒｙ）、ＲＡＭ４５３（ＲＡＭ：Ｒａｎｄｏｍ  Ａｃｃｅｓｓ  Ｍｅｍｏｒｙ）、各種機器を接続するためのバスやコネクタ等を有している。
ＲＯＭ４５２は、ＯＳとハードウェアの間のデータ受け渡しを制御する基本ソフトであるＢＩＯＳ（ＢＩＯＳ：Ｂａｓｉｃ  Ｉｎｐｕｔ／Ｏｕｔｐｕｔ  Ｓｙｓｔｅｍ）を格納する読み取り専用メモリである。  ＲＡＭ４５３は、揮発性のメインメモリであり、複写用メディア４０９よりロードされた投票プログラム４０４や候補者データ４０１等のデータを投票の間だけ一時的に格納するＲＡＭディスクとして機能する。
【００４７】
シリコンディスク４５４（ｓｉｌｉｃｏｎ  ｄｉｓｋ）は、コンパクト・フラッシュ（登録商標：以下ＣＦと記す）メモリカードを使用したディスクメモリであり、ＩＤＥ規格（ＩＤＥ：Ｉｎｔｅｇｒａｔｅｄ  Ｄｅｖｉｃｅ  Ｅｌｅｃｔｒｏｎｉｃｓ）のインターフェースにより、マザーボード４５０と接続されている。シリコンディスク４５４には、ＯＳ４１１（ＯＳ：Ｏｐｅｒａｔｉｎｇ  Ｓｙｓｔｅｍ）及び各種ドライバが格納されており、システムディスクとして機能する。一般的に使用されるシステムディスクであるハードディスク（ＨＤ：Ｈａｒｄ  Ｄｉｓｋ）と異なり、磁気ヘッドのような物理的な駆動部分がないので故障率が低く、しかも高速アクセスが可能である。以下、シリコンディスク４５４をシステムディスク４５４ともいうこととする。
【００４８】
マザーボード４５０には、ＶＲＡＭ４５６及び、ＬＣＤ２０３１１がＬＶＤＳ（ＬＶＤＳ：Ｌｏｗ  Ｖｏｌｔａｇｅ  Ｄｉｆｆｅｒｅｎｔｉａｌ  Ｓｉｇｎａｌｉｎｇ  高速、低消費電力の画像情報汎用インターフェース標準）により接続されている。ＬＣＤ２０３１１は、大きさが対角１５インチ（３８．１ｃｍ）のＴＦＴ液晶（ＴＦＴ：Ｔｈｉｎ  Ｆｉｌｍ  Ｔｒａｎｓｉｓｔｏｒ薄膜トランジスタ）であり、解像度１０２４×７６８ピクセル、ＲＧＢ６４階調２６万色のカラー画面を、１７０ｃｄの明るさで表示できる。
【００４９】
ＬＣＤ２０３１１上に重ねて配置された透明タブレットであるタッチパネル２０３１３は、ＲＳ−２３２規格（直列データ伝送用の標準インターフェース）によりマザーボード４５０と接続されており、大きさが対角１５インチ、分解能１０２４×１０２４画素の性能を有する。タッチパネル２０３１３の入力操作の検出方式は、水や埃に対する耐環境性に優れる抵抗膜方式を用いることが好ましい。なお、抵抗膜方式とは、２枚のガラスの間に設けられた電極（透明導電性基板）が指やスタイラスペンの押圧によって通電するのを電気的に検知するものである。
【００５０】
遠隔信号制御部２０３２は、本実施例に適用される投票開始信号４０６または運用管理信号４０５の受信を行なうデバイスであり、マザーボード４５０とＲＳ−２３２インターフェースにより接続される。
【００５１】
スピーカ２０３３は、音声ガイダンス用であり、非障害者、運動機能障害者共に対応する。
音量調整用ボリューム２０３３ａは、スピーカ音量の調整を行なう。ヘッドホンの音量には影響しない。
【００５２】
本実施例に適用される原本用メディア４０８又は複写用メディア４０９の一例であるＣＦメモリカードは、ＣＦメモリアダプタに装着され、ＰＣＭＣＩＡインターフェースにより、マザーボード４５０と接続されている。原本用メディア４０８には、投票データ、投票ログが記録され、複写用メディア４０９には、原本用データのバックアップ記録がなされる。これらのメディアのパッケージには、混同を防ぐために、各々「原本」又は「副本」に印刷表示が施されている。
【００５３】
状態表示灯２０３０１は、緑色ＬＥＤである操作表示灯２０３０１ｂ及び赤色ＬＥＤである電源表示灯２０３０１ａの２色のランプから構成されている。操作表示灯２０３０１ｂは、ＧＰＩＯ規格（ＧＰＩＯ：Ｇｅｎｅｒａｌ  Ｐｕｒｐｏｓｅ  Ｉｎｐｕｔ／Ｏｕｔｐｕｔ）インターフェースにより、マザーボード４５０と接続されており、投票状態の確認表示を行なう。操作表示灯２０３０１ｂの表示は、ランプの点灯、消灯、点滅の３状態を用いて表現される。例えば、点灯を投票中、消灯を投票待ち受け中、点滅をエラー発生時を表すように定義する。
【００５４】
一方、電源表示灯２０３０１ａは、直流電源２０３１５に接続されており、電源駆動状態の確認表示を行なう。電源表示灯２０３０１ａも、同様に上記の３状態を用いて表現できる。例えば、消灯をＡＣ電源供給駆動中を表し、点滅をＡＣ電源供給無し、かつ外部電池２０３１６接続無し（すなわち内蔵電池２０３１４駆動中）を表し、点灯をＡＣ電源供給無し、かつ外部電池２０３１６接続駆動中などと定義する。なお、外部電池２０３１６とは、電子投票装置２０３の外部に専用接続コネクタにて接続されるバッテリをいい、長期停電時の投票を可能にする。実施例としては、車載用バッテリが挙げられる。
【００５５】
投票確定ＬＥＤ２０３４は、選挙人による候補者選択確認後、原本用メディア４０８に投票データ４０７及び投票ログ４０７５が正常に記録された場合、投票データの投票確定が完了したことを選挙人に報知するための表示ＬＥＤである。投票確定ＬＥＤ２０３４は、マザーボード４５０とＧＰＩＯインターフェースにより接続されている。投票確定ＬＥＤ２０３４が、点灯保持状態のときは、投票データの原本用メディアへの正常記録時を表し、消灯状態のときは投票終了時を表すように定義する。投票確定ＬＥＤ２０３４は、ハードウェア制御により点灯及び消灯を行なうため、たとえ投票操作中にソフトウェアに起因するハングアップ等の不測の障害が発生した場合においても点灯状態が保存され、エラー発生時点で投票が完了していたか否かを明らかにすることが可能である。
【００５６】
このように本実施例に適用される電子投票装置２０３には、投票管理者や操作者のためにＬＣＤ２０３１１による画面表示以外に動作状態を示す表示機能が備わっている。これらの表示状態は、ＧＰＩＯでラッチされているため、投票プログラム４０４が停止状態であっても、電源が通電状態であり、回路が動作していれば、その情報は保存される。
【００５７】
電源ＬＥＤ２０３０８（ＡＣ入力確認用ＬＥＤともいう）は、ＡＣ電源（日本国内の商用交流電源にあっては交流１００Ｖ、周波数５０Ｈｚ又は６０Ｈｚのもの）が供給されていることを監視するためのＬＥＤである。電源ＬＥＤ２０３０８は、直流電源２０３１５とＧＰＩＯインターフェースにより接続され、直流電源２０３１５に対して入力されるＡＣ電源の電圧を監視する。電源ＬＥＤ２０３０８は、点灯状態がＡＣ電源供給時、消灯状態がＡＣ電源断時を表す。
【００５８】
ジャンクション基板４５５（ジャンクションボードともいう）は、マザーボード４５０とＲＳ−２３２インターフェースにより接続されている。ジャンクション基板とは、基板上にバリアフリー対応の専用キーボード、又はヘッドホン若しくはプッシュスイッチ等を接続することにより、通信制御やデータ通信を行なう専用基板である。ジャンクション基板４５５上には、運動機能障害用プッシュスイッチ端子２０３７、視覚障害者用専用キーボード端子２０３８、ヘッドホン端子２０３９が配置され、バリアフリー対応のオプション装置を接続することができる。運動機能障害用プッシュスイッチ端子２０３７には、電子投票装置２０３のタッチパネル２０３１３による入力が困難な、運動機能障害を有する選挙人が対象とした入力機器である３．５φメーク接点式のプッシュスイッチが接続される。
【００５９】
当該選挙人は、当該プッシュスイッチを使用して、スキャン画面（選択項目が自動的に順次切り替わる投票画面）に従い投票を行なうことができる。視覚障害者用専用キーボード端子２０３８及びヘッドホン端子２０３９には、視覚障害者用専用キーボード２０３８１及び音量調整付きヘッドホン２０３９１が各々接続される。視覚障害を有する選挙人は、机または手に持って入力可能な専用キーボード２０３８１と音声投票用ガイダンスの音量調整付きヘッドホン２０３９１の併用により、音声投票を行なうことができる。視覚障害者対応の音声投票用キーボード（運動機能障害者対応兼用）は、点字が施された６個のファンクションキー（○、×、←、→、△、平たいボタン）から構成され、上下・左右共に２６ｍｍピッチを有する。ジャンクション基板４５５上のヘッドホン端子２０３９に音量調整付ヘッドホン２０３９１が接続された場合には、スピーカ２０３３への接続が自動的に切断される。
【００６０】
ＣＬＯＣＫ４５７（内蔵時計ともいう）は、マザーボード４５０上に装着された時計モジュールである。ＣＬＯＣＫ４５７による時刻の情報は、例えば、投票の監査記録（監査証跡）として、投票操作を含む動作状態を記録した投票ログ４０７５を作成する際に使用する。
【００６１】
図１０は、本実施例に適用される電子投票装置２０３内部のＲＡＭ４５３内部のデータ構造の一例を示す図である。ＲＡＭ４５３は、投票が行われている間、投票プログラム４０４を一時的に格納する投票プログラム領域４０４ｂを有する。投票プログラム４０４は、選挙データ作成システム１００における選挙データメディアコピー機１０２において、選挙データマスター４００から複写用メディア４０９に複製されて、投票所システム２００に配布されたものである。複写用メディア４０９が、複写用メディア用スロット２０３０３を介して電子投票装置２０３に装着されると、プログラムローダー４３６により、投票プログラム４０４がＲＡＭ４５３上の投票プログラム領域４０４ｂにロードされる。
【００６２】
ＲＡＭ４５３は、候補者データ４０１を格納する候補者データ領域４０１ｂを有する。
ＲＡＭ４５３は、投票開始信号４０６及び運用管理信号４０５の読取に係る認証キー４０３を格納する認証キー領域４０３ｂを有する。
ＲＡＭ４５３は、発行機２０１が発行した乱数である投票所ＩＤを格納する投票所ＩＤ領域４０５５ｂを有する。
ＲＡＭ４５３は、選挙人による投票データ４０７が原本用メディア４０８及び複写用メディア４０９に記録されて照合が行われるまでの間、一時的に投票データ４０７を格納する投票データ領域４０７ｂを有する。このキャッシュ領域は、固定されたアドレスに存在するわけではない。空きのある番地に適宜割り振られる。
【００６３】
ＲＡＭ４５３は、投票ログ４０７５を格納する投票ログ領域４０７５ｂを有する。
ＲＡＭ４５３は、後述するシステムディスクに記録されたＯＳ４１１及びドライバ、投票プログラム４０４、候補者データ４０１等を複製して格納するローカルディスク領域４０７５ｂを有する。
【００６４】
図１１は、本実施例に適用される電子投票装置２０３内部のシステムディスクとして用いられるシリコンディスク４５４内部のデータ構造の一例を示す図である。
シリコンディスク４５４は、プログラムローダー４３６を格納する領域を有する。プログラムローダー４３６は、投票プログラム４０４を複写用メディア４０９よりロードするプログラムである。
シリコンディスク４５４は、投票装置シリアル番号記録部２０３ｓを格納する領域を有する。
【００６５】
シリコンディスク４５４は、Ｉ／Ｏ制御部４１２を格納する領域を有する。Ｉ／Ｏ制御部４１２は、データの入出力の際、データを１ビットずつ連続的に入力又は出力する制御を行なうためのプログラムである。
シリコンディスク４５４は、ウインドウ制御部４１３を格納する領域を有する。ウインドウ制御部４１３  は、タッチパネルＬＣＤ２０３１などに表示される画面の中で、枠などによって区切られた表示部分の管理を行なうためのプログラムである。
シリコンディスク４５４は、ファイル制御部４１４を格納する領域を有する。ファイル制御部４１４は、ファイルの登録、追加、修正、削除などのファイル保守、特定ファイルへのアクセスを制限するファイル保護などを行なうためのプログラムである。
【００６６】
シリコンディスク４５４は、遠隔制御信号読取部４１５を格納する領域を有する。遠隔制御信号読取部４１５は、遠隔制御装置２０１が発行した投票開始信号４０６または運用管理信号４０５の受信、搬出及び、読取り及び書き込みなどを制御するためのプログラムである。
シリコンディスク４５４は、タッチパネル制御部４１６を格納する領域を有する。タッチパネル制御部４１６  は、タッチパネル２０３１３上でのタッチパネルからの入力を制御するためのプログラムである。
シリコンディスク４５４は、ジャンクション基板制御部４１８を格納する領域を有する。ジャンクションボックス制御部４１８は、バリアフリー対応入出力機器接続端子２０３７、２０３８、２０３９、２０３０２を介して電子投票装置２０３に接続される各種の外部入出力装置を制御するためのプログラムである。
【００６７】
シリコンディスク４５４は、ＯＳ４１１を格納する領域を有する。ＯＳ４１１は、特に限定されるものではないが、例えば、米国マイクロソフト社製ＯＳである、ウィンドウズ（登録商標）ＮＴエンベデッドを使用することが可能である。このＯＳ４１１は、機器制御に特化した組み込み型ＯＳであり、マウスやキーボードなどの外部入力装置がない状態でも動作することが可能である。そして、シリコンディスクに記録されたＯＳその他のシステムディスクをＲＡＭ４５３のローカルディスク領域４５４ｂ上にコピーして動作させることが可能である。
【００６８】
なお、シリコンディスク４５４は、工場出荷時に、必要なプログラムデータと固有の機器管理用シリアル番号である電子投票装置シリアル番号記録部２０３ｓを書き込み後、ライトフィルター処理され、読み出し専用メモリ（ＲＯＭ）となる。本処理により、電子投票装置２０３でのシステムディスクの書き換えはできないこととなる。
【００６９】
図１２は、本実施例に適用される電子投票装置２０３内部のＲＡＭ４５３に、複写用メディア４０９よりロードされて格納される投票プログラム４０４の構造の一例を示す図である。
投票プログラム４０４は、遠隔制御信号読取部４３１を有する。遠隔制御信号読取部４３１は、ＩＣカードなどの形態で提供される投票開始信号４０６又は運用管理信号４０５が、遠隔制御信号読取部２０３２で受信された後、当該信号に含まれるデータを読み取るのを制御するためのプログラムである。
【００７０】
投票プログラム４０４は、候補者データ読取部４３２を有する。候補者データ読取部４３２は、ＲＡＭ４５３上に格納された候補者データ４１５を構成するデータベース（図１４〜図２０において後述する）の電子的な読取を制御するためのプログラムである。
投票プログラム４０４は、投票画面作成部４３３を有する。投票画面作成部４３３は、選挙人が投票を行なう際にＬＣＤ２０３１１に表示される画面の作成を制御するためのプログラムである。画面作成に必要な候補者情報又はレイアウトの情報は、候補者データ４０１に含まれる後述するデータベース（後述する図１７における固定画面レイアウトテーブル４０１ｄ、及び図１８における投票画面レイアウトテーブル４０１ｅ）上から読み取られる。
【００７１】
投票プログラム４０４は、投票データ記録部４３４を有する。投票データ記録部４３４は、選挙人の投票データ４０７（投票結果）を、可搬性のある電磁的記録媒体に記録することを制御するためのプログラムである。すなわち、投票データ記録部４３４は、ＲＡＭ４５３の投票データ領域４０７ｂに読み込まれた投票データ４０７を原本用メディア４０８に記録した後に、ＲＡＭ４５３との照合を行い、さらに複写用メディア４０９に複写を行なう。原本、副本の二つの記録媒体に投票データを保存するにあたっては、媒体毎に独立して、ファイルオープン→データ書き込み  →ファイルクローズ  →キャッシュはき出しを行い、記録を確定させる。このように同時に二つの記録媒体がアクティブな状態を無くすことで、障害時には、最悪いずれか一つの記録媒体のデータを確保することができる。
【００７２】
投票プログラム４０４は、投票制御部４３５を有する。投票制御部４３５は、選挙人が、投票操作することによる、投票画面の切り替えを制御するためのプログラムである。投票画面には、投票可能な候補者を一覧表示する候補者選択画面（図３１に図示）、選挙人が仮選択した候補者を表示し投票意思の確認を行なう候補者確認画面（図３３に図示）等がある。
投票プログラム４０４は、ＯＳ４１１としてウィンドウズ（登録商標）を用いる場合には、このＯＳ４１１に依存する簡易プログラミング言語であるビジュアル・ベーシック（Ｖｉｓｕａｌ  ＢａｓｉｃＴＭ）を使用して作成するのが便利である。
【００７３】
また、投票プログラム４０４は、電磁的記録媒体（複写用メディア４０９）を介して供給されるアプリケーションプログラムであって、電子投票装置２０３への常駐は出来ず、電源投入毎にプログラムローダー４３６によりＲＡＭディスク４５３に新たにロードされる。投票プログラム４０４の供給形態は、適当な圧縮形式ファイルであり、電磁的記録媒体よりロードするにあたり、プログラムローダー４３６により、同プログラムの正当性確認を行なうことで改ざんの有無を確認する。正当性の確認は、誤り検出用符号の算出比較により実施する。プログラムロード後、更に圧縮解凍処理時のＣＲＣチェック等の確認により、エラー検出を行なう。
【００７４】
図１３は、本実施例に適用される電子投票装置２０３内部のＲＡＭ４５３に格納される候補者データ４０１の構造の一例を示す図である。候補者データ４０１は、テキスト形式のファイルとして存在する６種類のテーブル（表）から構成されている。すなわち、第１に実施選挙の種類を識別する選挙ＩＤ毎に存在する候補者テーブル４０１ａ１〜４０１ａｎ、第２に政党テーブル４０１ｂ、第３に投票所グループテーブル４０１ｃ、第４に固定画面レイアウトテーブル４０１ｄ、第５に選挙ＩＤ毎に存在する投票画面レイアウトテーブル４０１ｅ１から４０１ｅｎ、第６に表示メッセージテーブル４０１ｆ）が互いに関連付けられたリレーショナルデータベース（ＲＤＢ：Ｒｅｌａｔｉｏｎａｌ  Ｄａｔａ  Ｂａｓｅ）の構造を有する。
【００７５】
さらに、これらのテーブルから参照されるバイナリ形式のファイルである画像ファイル（候補者画像データや政党画像データ）及び音声ファイル（音声ガイドデータ等）が存在する。これらは、各々のテーブルの中から、ファイルの相対位置（パス）を参照することにより関連付けられている。バイナリファイルの参照方法は、あらかじめ指定されたディレクトリに存在する音声または画像ファイルに対しては、テーブルのフィールド部にファイル名を指定することで参照することができる。ディレクトリによるファイル管理は、基本ソフトであるＯＳの機能を利用する。
【００７６】
図１４は、本実施例に適用される候補者データ４０１を構成する候補者テーブル４０１ａ１（選挙ＩＤ＝１用）の一例を示す図である。投票所テーブル４０１ｃは、候補者を識別する候補者ＩＤ４０１ａ１ａ、立候補届出名４０１ａ１ｂ、候補者名ふりがな４０１ａ１ｃ、出身地４０１ａ１ｄ、所属する政党を識別する政党ＩＤ４０１ａ１ｅ等のフィールドを有するテーブルとして構成されている。例えば、候補者ＩＤ４０１ａ１ａのフィールドの値が「００００１」であるレコードは、立候補届出名が「木戸  孝允」、候補者名ふりがな４０１ａ１ｃ「きどたかよし」、出身地４０１ａ１ｄ「山口県」、政党ＩＤ４０１ａ１ｅ「００２」という一連のデータを格納する。
【００７７】
また、候補者テーブル４０１ａ１には、候補者氏名の別の読みも登録されている。従来の自書式投票においては、投票所の記載台に掲示された立候補者の届出名を投票用紙に書き写すだけでよく、実際の候補者名前の読み仮名を知らないでも投票を行なうことができた。例えば、立候補者の登録名が「河野太郎」であった場合、読み仮名が「こうのたろう」なのか「かわのたろう」なのか忘れた、あるいは知らない場合でも、投票用紙には「河野太郎」と書き写すだけで投票することが可能であった。ところが、候補者の頭文字を入力する場合には、読み仮名を知らない限り、検索をすることができない、という制約が生じるおそれがある。かかる、制約が生じないようにするために、本実施例では、間違やすい候補者氏名の別の読み仮名を用意して、上記例では、「こ」又は「か」のいずれを選択したとしても、候補者の「河野太郎」が表示されるようにしている。すなわち、本実施例によれば、立候補者のいろいろな読み方を候補者データとして同時に記録しておくことにより、間違えられそうな読み仮名のいずれでも検索を行なうことが可能となる。
【００７８】
図１５は、本実施例に適用される候補者データ４０１を構成する政党テーブル４０１ｂの一例を示す図である。政党テーブル４０１ｂは、政党ＩＤ、言語ＩＤ、政党名等のフィールドを有している。例えば、政党ＩＤのフィールド値が「００２」であるレコードは、政党名が「長州党」であり、上記した木戸孝允が長州党に所属することを意味する。政党ＩＤのフィールドは、データベース技術における主キーと呼ばれるものであって、図１５における政党ＩＤのフィールドとリレーションシップがとられている。
【００７９】
図１６は、本実施例に適用される候補者データ４０１を構成する投票所グループテーブル４０１ｃの一例を示す図である。投票所グループテーブル４０１ｃは、選挙の種類を識別する選挙ＩＤ及び選挙名、選挙区を識別する選挙区ＩＤ及び選挙区名等のフィールドを有している。選挙ＩＤのフィールドは、投票開始信号４０６に含まれる投票可能な選挙ＩＤの値を投票プログラム４０４が読み込んだ際に、必要な選挙ＩＤのレコードのみが抽出され、使用されることとなる。
【００８０】
図１７は、本実施例に適用される候補者データ４０１を構成する固定画面レイアウトテーブル４０１ｄの一例を示す図である。固定画面レイアウトテーブルは、選挙の種類に無関係な共通の画面レイアウトを規定するためのテーブルである。固定画面レイアウトテーブル４０１ｄは、選挙人（投票者）の身体的な障害の種類を識別する選挙人特性ＩＤ２０２１のフィールドを有している。そして、選挙人特性ＩＤ毎のレコードにおいて、表示画面の種類を識別する画面ＩＤ、画面の機能を識別する機能ＩＤ、表示色を規定する前面色及び背景色、表示文字の書体、サイズ、表示するオブジェクトの水平座標、及び垂直座標等のレイアウトのデータを格納するフィールドを有している。画面ＩＤフィールドは、選挙の種類（すなわち選挙ＩＤ）によって全く異なる画面を、その都度作成するのではなく、少数個からなる共通画面の基本レイアウトを規定するためのフィールドである。そして、この共通の基本レイアウトをベースとしたバリエーションを、色やサイズ、座標、位置合わせ情報などを規定するフィールドで実現している。
【００８１】
本実施例による基本レイアウトとしては、単頁用候補者選択画面、候補者確認画面、候補者選択方式確認画面、候補者番号入力画面、候補者選択頁案内画面、棄権確認画面、複数頁用候補選択画面の７種類のレイアウトで十分である。例えば、単記式候補者選挙における候補者選択画面と拘束名簿式比例代表選挙における政党選択画面は、同一の画面ＩＤを用いて、作成することができる。このように、少数の固定画面を共通化することにより、候補者画面作成が極めて容易になり、選管による候補者データ作成の事務の作業負担を軽減することができる。
【００８２】
図１８は、本実施例に適用される候補者データ４０１を構成する投票画面レイアウトテーブル４０１ｅ１（選挙ＩＤ＝１用）の一例を示す図である。投票画面レイアウトデータベース４０１ｅ１は、選挙の種類や、画面に表示すべき立候補者の数、あるいは選挙人特性ＩＤの値によって、異なる画面のレイアウトを規定するためのテーブルである。投票画面レイアウトテーブルは、選挙人特性ＩＤ、画面ＩＤ、機能ＩＤ、前景色、背景色、サイズ、水平座標、垂直座標等のフィールドを有している。テーブルは、投票開始信号４０６に記録された実施可能な選挙ＩＤに基づいて必要な投票画面レイアウトテーブルを選択し、さらに選挙人特性ＩＤに基づいて、選挙人の障害毎に適した画面レイアウトを規定する。
【００８３】
図１９は、本実施例に適用される候補者データ４０１を構成する表示メッセージテーブル４０１ｆの一例を示す図である。表示メッセージテーブル４０１ｆは、候補者テーブル４０１ａ１又は政党テーブル４０１ｂ若しくは投票所グループテーブル４０１ｃに格納されてない文字列であって、画面に表示すべきものを規定する。
【００８４】
図２０は、本実施例に適用される電子投票装置２０３内部に格納される原本用メディア４０８のデータ構造の一例を示す図である。原本用メディア４０８とは、選挙人により、候補者選択確認後最初に投票データ４０７が記録される記録媒体を指す。本実施例においては、投票データの記録後に、投票ログ４０７５も記録される。投票所へ送付される原本用メディア４０８は、一般的にデータが何も記録されていないブランクメディアであり、投票データは「ゼロ票」である必要がある。投票データは、投票の秘密保持のため、投票データがランダムな順序で記録される。例えば、８番目の投票者の投票データ４０７を格納する投票データ８領域の隣の領域には、２番目の投票者の投票データ４０７を格納する投票データ２領域が割当てられる。その際に、既に図１で述べたように、複数のファイルを確保しておき、それぞれのファイルに対してランダムに投票データ及び投票ログを割り振るようにする。
【００８５】
図２１は、本実施例に適用される電子投票装置２０３内部に格納される複写用メディア４０９のデータ構造の一例を示す図である。複写用メディア４０９には、選管から配布される投票プログラム４０４、候補者データ４０１、カード認証キー４０３を格納する領域を有している。これらは、上記したように電子投票装置のＲＡＭ４５３にコピーされ用を果たすが、その後もデータは格納されている。そして、原本用メディアの投票データ４０７の複製が、これらに追記される形で記録される。
【００８６】
ところで図２０及び図２１のデータ構造を有する原本用メディア４０８及び複写用メディア４０９は、電子投票における選挙人がいずれの候補者を選択したかの情報を記録する際に、人間の知覚をもってしては認識不可能な方法で記録され、従来の投票用紙による票と形態を異にするものである。電子投票における票を記録する記録媒体は、選挙人による投票情報が電子的又は磁気的又はその他の方式で記録され、コンピュータによる情報処理が可能な記録媒体である。
【００８７】
記録媒体の具体的態様としては、フラッシュメモリが内蔵されたＣＦカードなどが挙げられる。他の規格のメモリカードとして、ＳＤメモリーカード、スマートメディア（登録商標）、メモリースティックなど、マルチメディアカード（登録商標））を用いてもよい。メモリカードは、ハードディスクなどに比べて軽量であり、かつ振動に強いためデータの搬送性、保存性に優れ、しかも安価である。もちろん、電磁的記録媒体として、ＦＤ、光ディスク（ＣＤ、ＤＶＤ）や光磁気ディスク（ＭＯ）などが使用可能であることはいうまでもない。
【００８８】
本実施例では、図２０及び図２１に図示するデータを記録する記録媒体として、１台の電子投票装置に対して２枚のメモリカード（原本用メディア４０８、複写用メディア４０９）を使用する。本実施例においては、これらは、選挙実施前において、選挙データ作成システム１００から投票所システム２００の電子投票装置２０３に対して選挙に必要なデータを搬送する際の担体としての機能を果たす。そして、投票中においては電子投票装置２０３に装着され、従来の投票用紙の代替物としての機能、すなわち選挙人が投票する候補者名を電磁的なデータとして確実に記録し保持する機能を有する。
【００８９】
そして、投票後においては、投票所システム２００から開票所システム３００に投票データ４０７を搬送する際の担体としての機能を有する。なお、将来法改正がなされた場合において、本発明をネットワーク型システムとして実施する場合には、電磁的記録媒体４０８、４０９は、選挙データ作成システム１００、投票所システム２００、開票所システム３００の各拠点において、ネットワーク送信を行なう前に、データを拠点内で一時的に記録し、蓄積する機能を有する。本発明における電磁的記録媒体を用いないネットワーク型システムに比較して、ネットワーク障害に対するデータ消失の危険性が極めて低くなる。
【００９０】
図２２は、本実施例に適用される投票開始信号４０６又は運用管理信号４０５のデータ構造の一例を示す図である。投票開始信号４０６又は運用管理信号４０５には、アクセス認証を行なう鍵である認証キー４０３が格納され、電子投票装置２０３のＲＡＭ４５３に記憶された認証キーにより認証が成功した場合にのみ、内部のデータの読み書きが可能となるように構成される。投票開始信号４０６又は運用管理信号４０５の内部には、以下のデータが記録されている。すなわち、市区町村ＩＤ、選挙人の障害の種類を示す選挙人特性ＩＤ２０２１、電子投票装置２０３が表示する言語の種類を区別する言語区分、投票所に固有のＩＤである投票所ＩＤ、指定投票所における投票又は不在者投票若しくは巡回投票等を識別する投票種別、遠隔制御装置２０１により発行された発行年月日、複数の選挙を同日に行なう場合の選挙の数である選挙可能件数、実施される選挙の各々（選挙ＩＤ＝１、２〜ｍ、ｎとして図示）に対して投票権利が有るか未発行かを識別する投票フラグ２０２２等のデータを格納する。
【００９１】
選挙人特性ＩＤは、選挙人名簿に基づいて作成され選挙人に予め郵送された入場整理券の選挙人特性欄の記載に基づいて、投票所の係員が、投票開始信号を生成する際に記録される。例えば、選挙人特性欄に視覚障害者の記載がある選挙人に対しては、投票開始信号４０６には、視覚障害者であることを示す選挙人特性ＩＤ＝０１が記録される。この選挙人がこの投票開始信号４０６を電子投票装置２０３に挿入した場合、投票プログラム４０４が当該選挙人特性ＩＤ２０２１を読み取って、対応する候補者データ４０１をデータベースから参照することにより、視覚障害者用の表示入力モードにより投票を行なうことが可能となる。
【００９２】
なお、データが記録された投票開始信号４０６又は運用管理信号４０５のメディアは、ＩＣカードを用いることにより、他の記録方式のカードに比較して多くの情報を、しかもデータのアクセス権を設定したりデータ自体をＴＤＥＳ（ＴＤＥＳ：Ｔｒｉｐｌｅ  Ｄａｔａ  Ｅｎｃｒｙｐｔｉｏｎ  Ｓｔａｎｄａｒｄ）等により暗号化したりすることにより安全に蓄積することが可能である。もちろんＩＣカードの代わりに、磁気カードを使用することも可能であるし、また光記録媒体を使用することも可能である。また、計算機ホログラム（ＣＧＨ：Ｃｏｍｐｕｔｅｒ  Ｇｅｎｅｒａｔｅｄ  Ｈｏｌｏｇｒａｍ）の不可逆記録とＩＣカードのハイブリッドカードを用いることも可能である。また、電子ペーパーとして知られた液晶記録媒体に対して記録を行なうことも可能である。あるいは紙による印字媒体に記録された文字又はバーコードを光学的に読み取るＯＭＲ方式（ＯＭＲ：Ｏｐｔｉｃａｌ  Ｍａｒｋ  Ｒｅａｄｅｒ）を用いてもよい。
【００９３】
投票開始信号４０６には、憲法１５条に定められた投票の秘密を守るため、投票開始信号４０６を使用する選挙人を特定可能であるような個人情報は一切記録されていない。したがって、投票開始信号として、住民基本台帳カード（住民カード、住基カードともいう）のような個人情報が記録されたカードを利用する場合には、電子投票装置２０３が生成する投票データが、個人情報を読み取らないことを保障するような機能が必要になる。
【００９４】
図２３は、本実施例に適用される投票開始信号４０６に記録される投票フラグ２０２２のデータ構造の一例を示す図である。
【００９５】
なお、本発明に係る投票開始信号４０６は、投票権利を有する選挙人に対して発行するものであるが、不正投票を排除するため、発行後に投票開始信号の記録情報により投票権利の有無を確認する用途には用いない。電子投票装置２０３では、障害発生時に可能な限り投票権利の有無についての情報を表示する。
【００９６】
図２２に図示する投票開始信号４０６又は運用管理信号４０５が格納するデータは、７ビットのアスキーコード（ＡＳＣＩＩ：  Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ、情報交換用米国標準コード）として記録されている。例えば、選挙人特性ＩＤ２０２１が「３０」というアスキーコードとして記録されている場合には、図１７に図示する選挙人特性ＩＤ２０２１が「００」、すなわち非障害者を意味する。また、投票フラグ２０２２は、投票可能か否かを示すものであるが、１０進数で表したときの０が未発行、１が投票可能な状態であると規定したとすると、例えばアスキーコードでは選挙ＩＤ１に対する投票フラグの「３１」は、投票可能な状態を意味する。なお、投票開始信号上のデータは全部で２５６バイトのデータから構成されている。
【００９７】
図２４は、本実施例に適用される投票プログラム４０４を構成する遠隔制御信号読取４３１の処理の流れの一例を示すフローチャートである。このフローチャートにより実現されるコンピュータプログラムは、投票開始信号４０６または運用管理信号４０５であるＩＣカードの読取処理を行なうサブルーチンプログラムである。このルーチンの初期状態においては、電子投票装置２０３のカード記録読取手段２０３２（カードリーダライタ）の近傍に配置されているカードガイドＬＥＤ２０３２ａが点滅している（ステップＡ１）。
【００９８】
そして、遠隔制御信号受信部２０３２内にＩＣカードが受信したか否かを確認するステップを有する（ステップＡ２）。投票者が投票開始信号４０６を電子投票装置２０３に挿入し、ＩＣカードがカードリーダライタ２０３２内に存在することが確認されると（ステップＡ３における「ＹＥＳ」、次のステップＡ４において、電子投票装置２０３から投票開始信号４０６上のＩＣチップに対して、全投票所共通のコードであるカード認証キー４０３が送信され、ＩＣチップ内で受信した電子投票装置２０３からのカード認証キーとカード発行機２０１によりＩＣチップに予め記録されたカード認証キーとを照合し、カードデータへのアクセス権限の認証を行なう。２つの認証キーが一致して認証に成功した場合（ステップＡ５における「ＹＥＳ」）、次のステップに移りカード種別の読取りを行なう（ステップＡ６）。
【００９９】
認証が拒否された場合（ステップＡ５における「ＮＯ」）、電子投票装置２０３がエラー発生画面を表示し（ステップＡ２３）、投票開始信号４０６をリーダライタ２０３２から排出する（ステップＡ２４）。排出されたカードは、投票所の係員により回収され、投票開始信号４０６である場合には、投票者はカード再発行等の適切な処置を受ける。なお、エラー発生は、投票所内で電子投票装置２０３から離れた場所から投票の様子を監視する投票立会人に対し、状態表示ランプ２０３０１（状態表示灯、警告灯ともいう）により、視覚的に報知される。
【０１００】
さて、図２４におけるステップＡ５における認証が成功した場合（ステップＡ５における「ＹＥＳ」）、ステップＡ６においてカード種別の読取処理を行なう。読取可能な信号種別は、投票開始信号と運用管理信号の２種類であり、カード内の所定の信号種別記録領域に記録された識別コード（図２２に「信号種別ＩＤ」として図示）を読み取る。
【０１０１】
以下、図２４におけるカード種別ＩＤの読取りのステップにおいて、投票開始信号４０６であることが読み取られた場合（ステップＡ７における「ＹＥＳ」）の流れを説明する。受信した信号の種別が投票開始信号４０６であることが読み取られると、ステップＡ８において、投票所ＩＤ（管理識別ＩＤ、管理ＩＤ、あるいは乱数ともいう）４０５５の読取処理を行なう。読み取られた投票所ＩＤが、電子投票装置２０３のＲＡＭ４５３に予め記憶させた投票所ＩＤと一致した場合（ステップＡ９における「ＹＥＳ」）、次の投票権利を確認する次のステップ（Ａ１０））に移る。次のステップでは、図２３に図示する投票フラグ２０２２の読取りが行われる（ステップＡ１０）。
【０１０２】
投票フラグ２０２２とは（同日に複数の選挙を実施する場合において）、投票者が選挙の投票権利を有するか否かを識別するコードである。例えば、「０」が未発行、「１」が投票可能な状態であると規定することができる。投票フラグ２０２２の読み取りが正常に行われた場合において（ステップＡ１１における「ＹＥＳ」）、投票フラグ２０２２が「１」投票可能状態である、すなわち投票者が当該選挙に対して未投票であることが読み取られると、投票の態様を規定する次のステップ（Ａ１３）に移行する。ステップＡ１３では、投票開始信号４０６をカード発行機２０１で発行する際に、選挙人名簿に基づいて投票開始信号４０６に記録された投票者（選挙人）の身体的な障害の特性を示すコード（選挙人特性ＩＤ２０２１、図１７に図示）の読取りが行われる。
【０１０３】
選挙人特性ＩＤとは、換言すれば、投票者が、電子投票装置２０３を用いて行なう入力手段（タッチパネル２０３１３、視覚障害者用専用キーボード２０３８１、運動機能障害用プッシュスイッチ２０３７１等）及び表示手段（ＬＣＤ２０３１１、ヘッドマウントディスプレイ、点字ディスプレイ、音声ガイド等）を規定するコードである。選挙人特性ＩＤ２０２２の値に対する条件分岐を示すステップ（ステップＡ１４）において、選挙人特性ＩＤが００、すなわち非障害（健常者）であったとすると、入力手段としてタッチパネル２０３１３、表示手段としてＬＣＤ２０３１１が選択され、使用可能かどうかの確認処理を行なう（ステップＳ１５ａ）。
【０１０４】
また、選挙人特性ＩＤが０２、すなわち視覚障害者であった場合には、ステップＡ１５ｃにおいて、入力手段として視覚障害者用専用キーボード２０３８１と表示手段として音量調整付きヘッドホン２０３９１が選択される。このように、投票開始信号４０６に記録された投票者の選挙人特性ＩＤに対応する入出力機器が使用可能かどうかチェックされると、次のステップＡ１６において、投票開始信号４０６の初期化処理が行われる。このステップは、使用済みの投票開始信号の再使用による二重投票の防止に万全を期すために、投票開始信号のデータ記録領域を再フォーマットすることにより、全データを抹消するステップである。以上により、カード種別読取のステップＡ４〜Ａ５において投票開始信号４０６であることが読み取られた場合のカード読取ルーチンは終了する。
【０１０５】
次に、図２４における信号種別読取のステップＡ４〜Ａ５において、電子投票装置２０３に受信した信号が投票開始信号４０６でないことが読み取られ（ステップＡ５における「ＮＯ」、運用管理信号（管理者カードともいう）４０５であることが読み取られた場合のステップについて説明する。この処理は、投票日当日の投票開始時刻の前にカード発行機２０１によって発行された運用管理信号４０５を用いて行なうことが好ましい。
【０１０６】
まず、信号種別ＩＤが運用管理信号４０５である場合は、ステップＡ１８において、投票所ＩＤ４０５５の読取が行われる。投票所ＩＤが読み取られた場合（ステップＡ１９における「ＹＥＳ」）、投票所ＩＤ４０５５は、電子投票装置２０３のＲＡＭ４５３の投票所ＩＤ領域４０５５ｂのアドレスに格納される（ステップＡ２０）。そして、投票所ＩＤが電子投票装置に登録されたことを投票管理者に報知する画面が表示され（ステップＡ２１）、運用管理信号の排出処理が行われる（Ａ２２）。以後、電子投票装置２０３は、この投票所ＩＤが記録された投票開始信号４０６のみを受付可能となる。したがって、他の投票所のカード発行機で発行されたカードや、偽造・変造が行われたカードでは、投票を行なうことが不可能となる。
【０１０７】
図２５は、本実施例に適用される投票プログラム４０４を構成する投票制御部４３５の処理の流れの一例を示すフローチャートである。投票制御部４３５は，投票開始信号の読み取り後，選挙人に対して候補者の一覧を表示して，候補者の選択を促す画面を表示するサブルーチンプログラムである。まず，ステップＥ０ａにおいて、候補者データ４０１を構成する候補者テーブル４０１ａより、選挙の種類を特定する選挙ＩＤに対応する候補者の数、即ち、候補者ＩＤで特定されるレコード総数を読み取って、ＲＡＭ４５３に記憶する。
【０１０８】
次に、ステップＥ０ｂにおいて、一つの画面に表示する候補者名を付したボタンの最大数の設定の読取りを行なう。単一画面に表示するボタンの数は、予め、選挙データ作成システム１００における選挙データ管理作成機１０１によって、候補者データ４０１の作成時に設定される数値である。具体的には、選挙データ管理作成機１０１が有する専用ソフトウェア（画面エディタ）によって、候補者データ４０１の中の投票画面レイアウトデータベース４０１ｅ（図１８に図示）の中で、ボタンのサイズや位置、文字サイズ等の画面レイアウトの設定が行われる。原則として、公平性の観点から、候補者はなるべく一つの画面内に全員を表示することが望ましいものである（図２９を参照）。
【０１０９】
しかしながら、立候補者が５０人を超えるような選挙の場合には、一画面では表示できない場合が起こりうる。表示画面（ＬＣＤ２０３１１）の表示面積と、候補者の氏名を付したボタンの面積との兼ね合いより、表示可能なボタンの数には上限があるからである。例えば、図３１は、１５インチの表示エリアに対して２８名分のボタンを配置した例を図示したものであるが、これ以上ボタンの数を増加すると、文字サイズが小さくなって視覚しづらくなったり、隣り合うボタン同士が接近することにより押し間違いが起こったりする等の不都合が生じる。従って、そのような場合には、候補者を複数の頁に分割したり、スクロールさせたりする構成としてもよい。
【０１１０】
図２６は、本実施例に適用される投票プログラム４０４を構成する投票制御部４３５における候補者選択画面投票制御部４３５Ａの処理の流れの一例を示すフローチャートである。このサブルーチンプログラムは、選挙に立候補した候補者の全員が単一画面に表示できる場合に実行されるプログラムである。まずステップＥ１において、候補者表示の順序をランダムに表示する設定があるか否かの確認を行なう。候補者のランダム表示は、選挙人により投票開始信号が挿入されて投票操作が実行される毎に、表示順位を変更する設定であり、公平性の観点から設定することが可能なオプションである。画面内で、同一政党の候補者が２名以上いる場合であって、かつ表示順位が指定されている場合においては、政党内の順位は保ったまま、異なる政党のみの候補者順位を変更することが可能である。
【０１１１】
このようなランダム表示の設定がある場合には（ステップＥ１における「ＹＥＳ」）、ステップＥ２に移り、候補者データ４０１のレコード順序のランダム化処理が行われる。ランダム化処理は、種々の実施形態が可能であるが、例えば以下のようにする。すなわち、この選挙への投票者数を候補者数で割った剰余を計算し、候補者テーブル４０１ａの先頭のレコードから、この数の候補者を先頭から末尾へ移動し、これをこの投票者のこの選挙への投票における候補者テーブル４０１ａとする。ステップＥ２におけるかかる処理が終了すると次のステップＥ３に移る。
【０１１２】
一方、このようなランダム表示の設定がない場合（ステップＥ１における「ＮＯ」）、ステップＥ２をスキップし、ステップＥ３に移る。ステップＥ３では、候補者のボタンを並べる方向の設定をチェックする。このステップの後、ステップＥ４において画面遷移処理を行い、ステップＥ５において候補者選択画面（図２９〜図３１に図示）を表示する。候補者選択画面が表示されると、ステップＥ６において、表示メッセージテーブル４０１ｆにリンクした共通音声データ（図１９に図示）の中から、候補者選択ガイダンス音声を１回だけ再生する。例えば、図２９に示す候補者選択画面に対しては「投票したい候補者の名前に触れてください。投票を途中で終了する場合は、「投票しない」に触れてください」というガイダンス音声を１回だけ再生する。ステップＥ７の条件分岐において、投票者が、画面に表示された候補者ボタンに対して、タッチパネル入力、あるいはバリアフリー・オプションの入力機器（運動機能障害用プッシュスイッチ２０３７１、視覚障害者用専用キーボード２０３８１等）による入力操作を行って、入力が検出されると（ステップＥ７における「ＹＥＳ」）、次のステップに移る。
【０１１３】
また、投票操作方法が自動スキャン投票である選挙人（図１７に図示する選挙人特性ＩＤ＝０５の選挙人）の場合には、ボタンにカーソルが移動して来た間にスイッチを押下することによって次のステップに移る。ステップＥ８においては、入力されたボタンの色と文字色をカーソル点灯時のものに変更し、一定時間（０．２秒程度）点灯のまま待機する。そして、触れられたボタンが選択、入力されたものとして、ステップＥ９において、選択されたボタンに関連付けられた候補者を投票する候補者として記憶する。そして、ステップＥ１０において、候補者選択ガイダンス音声が再生中であれば、再生を停止し、選択した候補者を確認する移行のステップに移る。
【０１１４】
ステップＥ１１においては、かかる画面に遷移するための遷移処理が行われ、ステップＥ１２において、候補者確認画面の表示（図３３に図示）が行われる。画面の表示が行なわれると、ステップＥ１３において、選択した候補者を表示する候補者確認ガイダンス音声を１回だけ再生する。例えば、「確認してください。よろしければ○に、変更する場合は×に触れてください」というガイダンス音声を再生する。そして、ステップＥ１４では、投票者は以下の操作を行なう。すなわち、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「○  投票する」を選択すると（ステップＥ１４における「ＹＥＳ」）、ステップＥ１５において入力されたボタンの色と文字色をカーソル点灯時のものに変更し、一定時間（０．２秒程度）点灯のまま待機する。そして、ステップＥ１６において、候補者選択ガイダンス音声が再生中であれば、再生を停止し、このルーチンを抜ける（「ＲＥＴＵＲＮ」と図示）。
【０１１５】
一方、投票者は、選択した候補者に投票するために、タッチパネル入力、あるいはバリアフリー・オプションの入力機器（運動機能障害用プッシュスイッチ２０３７１、視覚障害者用専用キーボード２０３８１等）による入力操作を行って「×  変更する」を選択すると（ステップＥ１４における「ＮＯ」、かつステップＥ１７における「ＹＥＳ」）、ステップＥ１８において入力されたボタンが点灯して一定時間待機した後に、ガイダンス音声がステップＥ１９において停止して、ステップＥ５に戻り、候補者選択画面を表示する。候補者確認画面の表示は、投票者がいずれかのボタンを選択するまで、継続して表示される（ステップＥ１７における「ＮＯ」）。
【０１１６】
一方、ステップＥ７の条件分岐において、候補者ボタンの入力が検出されず（ステップＥ７における「ＮＯ」）、かつ棄権ボタン（図２９〜図３１では「投票しない」ボタンとして図示）が入力されたことが検出されると（ステップＥ２０における「ＹＥＳ」）、ステップＥ２１において、入力ボタンが一定時間点灯し、ステップＥ２２において、棄権されたことをＲＡＭ４５３に記憶する。そして、ステップＥ２２においてガイダンス音声を停止し、ステップＥ２４において画面遷移処理を行って、ステップＥ２５において棄権確認画面（図３４に図示）を表示し、ガイダンス音声を再生する（ステップＥ２６）。例えば、「確認してください。よろしければ「○」に、変更する場合は「×」に触れてください」というガイダンス音声を再生する。ステップＥ２７の条件分岐において、「○  投票しない」が入力されたことを検出すると（ステップＥ２７における「ＹＥＳ」）、ステップＥ２８において入力されたボタンを一定時間点灯させて待機し、ステップＥ２９においてガイダンス音声の再生を停止し、このルーチンを抜ける（「ＲＥＴＵＲＮ」と図示）。
【０１１７】
一方、ステップＥ２７の条件分岐において、「○  投票しない」ボタンが入力されずに（ステップＥ２７における「ＮＯ」）、「×  変更する」ボタンの入力が検出されると（ステップＥ３０における「ＹＥＳ」）、ステップＥ３１において入力されたボタンを一定時間点灯させて待機し、ステップＥ３２においてガイダンス音声を停止した後に、ステップＥ５に戻り、候補者選択画面を表示する。なお、棄権確認画面の表示は、「○  投票しない」、「×  変更する」のいずれかのボタンの入力が検出されるまで継続して表示される（ステップＥ３０における「ＮＯ」）。本実施例においては、投票者の意思が棄権ではなく、やむを得ない理由で投票を最初からやり直したい場合には、投票立会人または投票管理者に対してその旨を伝えて投票開始信号の再発行を受けるように構成される。その場合には、棄権票を開票時に抹消する手続きが必要となるが、同一の投票開始信号の再使用による二重投票の防止に万全を期すために、このような運用方法をとることが好ましい。
【０１１８】
図２７は、本実施例に適用される投票プログラム４０４を構成する投票データ記録部４３４の処理の流れの一例を示すフローチャートである。投票プログラム４０４は、投票データ４０７、投票ログ４０７５を原本、副本の２つの記録媒体に二重化して記録し、記録にあたっては、２つの媒体を独立してアクセスすることで、障害発生時においても、いずれかの投票データが確保されるよう設計することが好ましい。投票プログラム４０４の投票画面作成部４３３によりＬＣＤ２０３１１上に表示される画面（図２９〜図３８に一実施例を図示）を投票者が操作して、投票したい候補者を確定するボタン（図３３に図示する「○投票します」ボタン）を押下され、投票の内容がＲＡＭ４５３に内部記憶されたときは、投票データ記録部４３４のサブルーチンがコールされ、以下のステップを有する投票データ記録処理が開始される。
【０１１９】
すなわち、ステップＤ１において、原本用メディア４０８上の投票ログ格納用ファイルがオープンされ、ステップＤ２において、原本用メディアに投票開始ログが記録される。投票開始ログとは、例えば「原本への記録を開始」のような文字列である。投票開始ログの記録が終了すると、ファイルクローズされ（ステップＤ３）、次のステップＤ４において、原本用メディア４０８上の投票データ格納用のファイルがオープンされる。
【０１２０】
そして、ステップＤ５において、原本用メディア上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データを有するファイルが生成される（ステップＤ６）。さらに、ステップＤ７〜Ｄ９において、原本用メディア４０８上に投票終了ログ（例えば「原本への記録を終了」のような文字列）の書込みも行なう。原本用メディア４０８に対して投票データ４０７及び投票ログ４０７５の書込みが終了すると、ステップＤ１０においてキャッシュの吐き出し（ダンプ）を待機した後に、次のステップに移る。
【０１２１】
ステップＤ１１〜Ｄ１８は、原本用メディア４０８に最初に記録された投票データ４０７の照合（ベリファイ）を行なうステップである。すなわち、ステップＤ１１において、原本用メディア４０８の投票データ格納用ファイル（ステップＤ６でファイルクローズを行ったファイル）がオープンされ、ステップＤ１２において、ファイル内の投票データ４０７の読み出しが行われる。読み出された投票データ４０７は、ステップＤ１３において、ＲＡＭ４５３の図示しない作業領域に記憶され、投票プログラム４０４が管理するメモリ空間に記憶された投票データと比較、照合が行われる。ステップＤ１４の条件分岐において、照合が正常になされた場合には（ステップＤ１４の「ＹＥＳ」）、次のステップＤ１５に移る。
【０１２２】
照合が正常に行われなかった場合には、原本用メディア４０８への書き込みを禁止する処理を行い、投票データの書込み障害が発生したことを示すエラー画面（図に図示）をＬＣＤ２０３１１に出力するとともに、操作表示灯２０３０１ｂに点滅信号を出力する。このようなケースは、原本用メディアに不良があった場合等に発生する。このような書き込みエラーが発生した場合には、原本用メディアの使用を禁止し、開票時においては複写用メディア４０９のみを使用するような運用形態をとることが好ましい。この際に、このエラーが発生した投票以前に複写用メディア４０９に記録されたデータのみが有効となる。投票者に対しては、図３８に図示するような致命的エラーの発生画面を報知するとともに、投票所の係員（投票管理者あるいは投票立会人）が画面を確認して、投票開始信号を再発行し、エラーが発生した電子投票装置とは別の電子投票装置で再投票をするようにする。照合が成功した後のステップＤ１５〜Ｄ１８においては、原本用メディア４０８に記録された投票ログの照合が同様なプロセスで行われる。
【０１２３】
ステップＤ１８の条件分岐において、投票ログの照合が正常に行われた場合には（ステップＤ１８における「ＹＥＳ」）、原本用メディアに正常に投票データ４０７及び投票ログ４０７５が確実に記録されたことになり、法的な意味での投票が確定される。投票が確定されると、投票が確定したことを投票者に報知するために、ステップＤ１９において、投票確定ＬＥＤ２０３４を配置した基板に対してＧＰＩＯ経由で出力し、投票確定ＬＥＤ２０３４を点灯させる。点灯状態は、投票開始信号４０６が排出され、投票者の手で抜き取られるまで保持される。投票開始信号が排出されるまでの間に、システムダウンが発生した場合においても、高い確率で点灯状態が保存される。また、ステップＤ１８の条件分岐において、投票ログの照合が正常に行われなかった場合には（ステップＤ１８における「ＮＯ」）、原本用メディア４０８への書き込みを禁止する処理を行い、投票データの書込み障害が発生したことを示すエラー画面（図３８に図示）をＬＣＤ２０３１１に出力するとともに、操作表示灯２０３０１ｂに点滅信号を出力する。以後は、上記したものと同様な運用形態がとられ、再投票を行なわせる。
【０１２４】
次に、ステップＤ２０〜Ｄ３３では、複写用メディア４０９に対して、投票データ４０７の複製がとられる。投票データ４０７の複製は、原本用メディア４０７に記録された投票データと照合されて一致することが確認されたＲＡＭ４５３上の投票データを複写用メディア４０９に記録することにより行なう。したがって、複写用メディアへの記録時には、原本用メディア４０８へのファイルアクセスを行わず、障害が発生する恐れのあるプロセスをできるだけ排除することとしている。
【０１２５】
さて、ステップＤ２０においては、複写用メディア４０９上の投票ログ格納用ファイルがオープンされ、ステップＤ２１において、複写用メディアに投票開始ログが記録される。投票開始ログとは、例えば「副本への記録を開始」のような文字列である。投票開始ログの記録が終了すると、ファイルクローズされ（ステップＤ２２）、次のステップＤ２３において、複写用メディア４０９上の投票データ格納用のファイルがオープンされる。そして、ステップＤ２４において、複写用メディア上にオープンされたファイルに対して、ＲＡＭ４５３に内部記憶された投票の内容を書き込む。書込みは、ＲＡＭ４５３内部の図示しないキャッシュ領域を使用して高速な書込みが行われる。書込みが終了するとファイルをクローズし、投票データの副本を有するファイルが生成される（ステップＤ２５）。さらに、ステップＤ２６〜Ｄ２８において、複写用メディア４０８上に投票終了ログ（例えば「副本への記録を終了」のような文字列）の書込みも行なう。複写用メディア４０９に対して投票データ４０７及び投票ログ４０７５の書込みが終了すると、ステップＤ２９においてキャッシュの吐き出し（ダンプ）を待機した後に、次のステップに移る。
【０１２６】
ステップＤ３０〜Ｄ３３は、複写用メディア４０９に記録された投票データ４０７の照合（ベリファイ）を行なうステップである。すなわち、ステップＤ３０において、複写用メディア４０９の投票データ格納用ファイル（ステップＤ２５でファイルクローズを行ったファイル）がオープンされ、ステップＤ３１において、ファイル内の投票データ４０７の読み出しが行われる。読み出された投票データ４０７は、ステップＤ３２において、ＲＡＭ４５３の図示しない作業領域に記憶され、投票プログラム４０４が管理するメモリ空間に記憶された投票データと比較、照合が行われる。ステップＤ３３の条件分岐において、照合が正常になされた場合には（ステップＤ３３の「ＹＥＳ」）、次のステップＤ３４に移る。
【０１２７】
照合が正常に行われなかった場合には、副本記録媒体４０９への書き込みを禁止する処理を行い、複写の作成時に障害が発生したことを示すエラー画面（図３７に図示）をＬＣＤ２０３１１に出力するとともに、操作表示灯２０３０１ｂに点滅信号を出力する。このようなケースは、原本用メディアには正常に投票データが書き込まれているが、複写用メディアに不良があった場合等に発生する。このような書き込みエラーが発生した場合には、当該電子投票装置の使用を禁止するとともに、開票時においては複写用メディアの使用を禁止し、原本用メディア４０８のみを使用するような運用形態をとることが好ましい。この際に、このエラーが発生した投票以前に原本用メディア４０８に記録されたデータのみが有効となる。そして、投票者に対しては、図３７に図示するような複写作成エラー画面を報知するとともに、投票所の係員（投票管理者あるいは投票立会人）が画面を確認して、投票が確定していることを投票者に伝えるようにする。
【０１２８】
照合が成功した後のステップＤ３４〜Ｄ３７においては、複写用メディア４０９に記録された投票ログ４０７５の照合が同様なプロセスで行われる。なお、障害発生時には、上記したように、いずれの投票データ４０７が正常なものであるか確認可能とすることが好ましい。この確認については、可能な限り電子投票装置で表示を行なうが、障害度合いにおいては、記録媒体内のデータの精査が必要となる場合も起こり得る。かかる精査は開票所で行なうため、障害発生時の投票者に対して、予備的に自書投票を行ってもらい封筒に封入する措置が必要となる。
【０１２９】
図２８は、本実施例に適用される電子投票装置２０３のＬＣＤ２０３１１に表示される投票開始信号入力待ち画面の一例を示す図である。「投票開始信号を入れてください」というガイダンスが文字及び音声により行われるとともに、電子投票装置２０３のカード記録読取手段２０３２の位置と投票開始信号４０６の挿入の向きが選挙人にわかりやすいようにアニメーション表示される。また画面右下に、この電子投票装置２０３で投票された票数が、投票件数として表示されている。最初の投票者は、この表示が０件であることを確認し（零票確認）、投票を開始する。なお、この投票開始信号入力待ち画面は、投票プログラム４０４における投票画面作成部４３３により、候補者データ４０１における固定画面レイアウトテーブル４０１ｄ及び表示メッセージテーブル４０１ｆが参照されて作成され、ＬＣＤ２０３１１上に表示される。
【０１３０】
図２９は、本実施例に適用される電子投票装置２０３の候補者選択画面の一例を示す図である。かかる画面により、選挙の候補者の一覧が、タッチパネル２０３１３で入力可能な候補者ボタンとしてＬＣＤ２０３１１上に表示される。
【０１３１】
図３０は、本実施例に適用される電子投票装置２０３の候補者選択画面（ボタン押下時）の一例を示す図である。かかる画面により、投票者がタッチパネル２０３１３に触れることにより選択した候補者ボタンがＬＣＤ２０３１１上で反転表示され、入力が行われたことを投票者に報知する。
【０１３２】
図３１は、本実施例に適用される電子投票装置２０３の候補者選択画面（２８名表示）の一例を示す図である。かかる画面により、単一画面に２８個の候補者ボタンが表示される。このボタンサイズは、水平幅ａ＝６９ｍｍ、垂直幅ｂ＝１８ｍｍであり、ＬＣＤ２０３１１の水平方向に４個、垂直方向に７個のボタンを表示している。このボタンサイズは経験的に求められた大きさであるが、平均的な視力の選挙人がボタン上の文字を視覚認識可能であり、かつ一般的な指のサイズの選挙人が押下するのに、不自由ない大きさである。
【０１３３】
選挙名や、表示メッセージ等が表示されているが、これらを表示せずに、候補者ボタンのみを表示したとすると、１５インチディスプレイの場合には、最大４８個の候補者ボタンを表示することができる。一般のＮインチのディスプレイの場合には、アスペクト比を４：３と仮定すると、Ｉｎｔ（２０Ｎ／ａ）×Ｉｎｔ（１５Ｎ／ｂ）の個数の候補者ボタンを表示できる。但し、Ｉｎｔ（）は、（）内の数値を超えない最大の整数を表す。例えば、Ｎ＝２１インチのＬＣＤの場合には、１０２個（＝水平６個×垂直１７個）の候補者ボタンを表示できる。そして、このようにして計算された候補者ボタンの数を超えた場合には、頭文字選択画面に表示を切り替えるように構成してもよい。なお、このボタンのサイズ及び計算式は、多少の数値の変動があったとしても、この発明の範囲を逸脱しないものである。
【０１３４】
図３２は、本実施例に適用される電子投票装置２０３の投票進捗画面の一例を示す図である。かかる画面により、タッチパネル２０３１３を使用する代わりに、バリアフリー入力機器（運動機能障害用プッシュスイッチ、視覚障害者用専用キーボード等）を使用して投票を行なう選挙人の操作補助者（介助者）に対し、投票操作の進捗状況が報知される。
【０１３５】
図３３は、本実施例に適用される電子投票装置２０３の候補者確認画面の一例を示す図である。かかる画面により、投票者が仮選択した候補者を拡大表示し、投票意思の確認を行なう。
【０１３６】
図３４は、本実施例に適用される電子投票装置２０３の棄権確認画面の一例を示す図である。かかる画面により、投票者の投票の棄権意思（再投票意思も含む）の確認を行なう。
【０１３７】
図３５は、本実施例に適用される電子投票装置２０３の選挙終了画面の一例を示す図である。かかる画面により、複数の選挙を行なう場合において、一つの選挙が終了したことを、投票者に対して報知する。
【０１３８】
図３６は、本実施例に適用される電子投票装置２０３の選挙終了確認画面の一例を示す図である。かかる画面により、原本用メディア４０８に、投票データ４０７及び投票ログ４０７５が正しく記録されたことを、投票者に報知する。
【０１３９】
図３７は、本実施例に適用される電子投票装置２０３に複写用メディア４０９の記録障害発生を報知する画面の一例を示す図である。かかる画面により、複写用メディア４０９への書き込みエラーが発生し、原本用メディア４０８には、正しく記録されていることを、投票所の係員（投票立会人や投票管理者）あるいは選挙人に報知する。この場合は、係員が画面表示を確認した上で、選挙人に対して、投票を確定していることを伝える。そして、書き込みエラーの原因が、複写用メディア４０９の不良にあるのか、あるいは電子投票装置２０３自体にあるのか直ちに明らかにすることが困難であるために、投票時間内においては障害が発生した当該電子投票装置の使用を停止する措置をとる。開票時においては、原本用メディア４０８を使用し、エラー発生時の投票までの投票を有効とする。一方、複写用メディア４０９は、開票には使用しないこととする。
【０１４０】
図３９は、本実施例に適用される投票モードを規定する選挙人特性ＩＤ２０２１により規定される入出力手段の一例を示す図である。第１列が選挙人特性ＩＤ２０２１を示す数値であり、第２列が、対応する選挙人特性の具体例である。選挙人特性とは、非障害、視覚障害、聴覚障害、肢体障害、内部障害、とこれらの任意の組み合わせである。そして、同一の選挙人特性に対して、障害等級の軽重に応じて、図３９の第４列及び第５列の欄に示すように、使用する報知手段２０３０５及び入力手段２０３０６が異なる。例えば、選挙人特性ＩＤ２０２１が「００」である非障害者（健常者）である選挙人に対しては、電子投票装置２０３のＬＣＤ２０３１に健常者用投票画面を表示し、入力手段２０３０６としてはタッチパネル、報知手段２０３０５としてＬＣＤを使用する。
【０１４１】
また、図３９における選挙人特性ＩＤ２０２１が「０１」である視覚障害者（６級）の選挙人（万国試視力表で測定した一眼の視力が０．０２以下、他眼の視力が０．６以下のもので、両眼の視力の和が０．２を超えるもの）に対しては、電子投票装置２０３のディスプレイユニット２０３１に弱視者用投票画面を表示し、入力手段２０３０６としてはタッチパネル２０３１３、報知手段２０３０５としてＬＣＤ２０３１１を使用する。
【０１４２】
一方、選挙人特性ＩＤ２０２１が「０２」である視覚障害者（１級）の選挙人（両眼の視力の和が０．０１以下のもの）に対しては、電子投票装置２０３のＬＣＤ２０３１１に投票進捗画面（候補者名などの投票内容は表示せずに投票の進捗状態のみを表示する画面。図３２に図示）を表示して介助者に対する投票の秘密の漏洩を防止し、入力手段２０３０６としては視覚障害者用専用キーボード２０３８１、報知手段２０３０５として音量調整付きヘッドホン２０３９１とスピーカ２０３３による音声ガイドを使用する。さらに、選挙人特性ＩＤ２０２１が「０３」である視聴覚障害者（盲ろう者）の選挙人（両眼の視力の和が０．０１以下であり、かつ両耳の聴力レベルがそれぞれ１００デシベル以上のもの）に対しては、電子投票装置２０３のＬＣＤ２０３１１に投票進捗画面（候補者名などの投票内容は表示せずに投票の進捗状態のみを表示する画面。図３２に図示）を表示して介助者に対する投票の秘密の漏洩を防止し、入力手段２０３０６としては視覚障害者用専用キーボード２０３８１、報知手段２０３０５としてカナ文字ピンディスプレイ（あるいは点字ディスプレイ）を使用する。
【０１４３】
また、選挙人特性ＩＤ２０２１が「０４」である肢体不自由者（上肢切断又は上肢機能障害）の選挙人に対しては、電子投票装置２０３のＬＣＤ２０３１に健常者と同一の投票画面を表示し、入力手段２０３０６としては肢体不自由者用キーボード（不図示）又は足で入力可能なフットスイッチ、報知手段２０３０５としてＬＣＤを使用する。一方、選挙人特性ＩＤ２０２１が「０５」である肢体不自由者（全身性運動又は機能障害）の選挙人に対しては、電子投票装置２０３のディスプレイユニット２０３１に投票進捗画面（候補者名などの投票内容は表示せずに投票の進捗状態のみを表示する画面。図３２に図示）を表示して介助者に対する投票の秘密の漏洩を防止するとともに、入力手段２０３０６として不随意運動があっても入力可能な運動機能障害用プッシュスイッチ２０３７１、報知手段２０３０５として頭に固定して使用する眼鏡型表示機であるヘッドマウントディスプレイをバリアフリー用ヘッドマウントディスプレイ端子２０３０２に接続して使用する。
【０１４４】
選挙人特性ＩＤ＝０５の選挙人が使用するヘッドマウントディスプレイに表示される画面は、選択可能項目（すなわち図３０における暗色表示部分）が一定時間間隔で自動的に順次切り替わるスキャン入力画面を使用する。さらに、選挙人特性ＩＤ２０２１が「０６」である内部障害（難読）を伴う選挙人対しては、電子投票装置２０３のディスプレイユニット２０３１に健常者用投票画面を表示し、入力手段２０３０６としてはタッチパネル、報知手段２０３０５としてＬＣＤを使用するが、画面の進行や音声ガイドをスローで再生させる。このように、あらゆる障害に対して選挙人特性ＩＤを付与して入力手段２０３０６と報知手段２０３０５を規定することにより、すべての選挙人に対して投票モードを提供することが可能になり、電子投票装置２０３をバリアフリー化（ユニバーサルデザイン化）することができる。なお、実際の投票でどのような報知手段及び入力手段が適しているかは、全国の障害者や高齢者に対して実施した模擬投票実験によって経験的に明らかになったものである。
【０１４５】
図４０は、本実施例に適用される電子投票装置２０３による投票から終了までの流れの一例を示すシーケンス図である。始めに投票プログラム４０４の投票開始信号挿入待ち機能によって、図２８に図示する画面が表示されている。次に、遠隔制御信号受信部２０３２に、選挙人が投票開始信号４０６を挿入する。投票プログラム４０４は、投票開始信号を受信したことを検出すると、認証キー４０３を送信する。アクセスが可であった場合には、投票プログラム４０４は、投票開始信号４０６か運用管理信号４０５かを識別するコードである、カード種別ＩＤの読取を行なう。
【０１４６】
遠隔制御信号受信部２０３２から、カード種別ＩＤが投票開始信号４０６であることが読み取られると、投票開始信号４０６から、選挙人特性ＩＤ２０２１や投票フラグ２０２２が読み取られる。これらのデータがＲＡＭ４５３上に記憶されると、投票プログラム４０４により、原本用メディア４０８上に投票ログ４０７５を書き込むファイルがオープンされ、投票開始信号挿入処理に関するログの書込みが行われる（図４０では、すべてのログを投票ログ４０７５として図示している）。ログの記録が終了してファイルクローズされると、投票プログラム４０４により、ＲＡＭ４５３上のキャッシュ領域に存在するキャシュの吐き出しが行われる。キャッシュの吐き出しが完了すると、複写用メディア４０９上に、投票ログ４０７５を書き込むファイルをオープンし、原本用メディア４０８に記録したものと同一内容のログの書込みを行なう。複写用メディア４０９への投票ログ４０７５の書込みが終了するとファイルクローズし、キャッシュの吐き出しを行なう。
【０１４７】
次に、投票プログラム４０４により、操作表示灯２０３０１ｂのＧＰＩＯインターフェースに対して点灯信号が出力される。操作表示灯２０３０１ｂの点灯により、投票が開始されたことが、投票管理者や投票立会人に報知される。投票者は、ＬＣＤ２０３１１に表示された候補者選択画面（図２９に図示）、候補者確認画面（図３３に図示）等に従って、タッチパネル２０３１３に触れることにより投票操作を行なう。一連の投票操作において、画面の切替や、タッチパネルの操作等の電子投票装置２０３のすべての動作記録が図４０に示す投票ログの形で、原本用メディア４０８と複写用メディア４０９に対して、各々記録及び、キャシュの吐き出しが行われる。もし投票者が、投票意思確認画（図３３に図示）の「○投票する」に触れたとすると、投票プログラム４０４の投票データ記録部４３４によって、選択された候補者のＲＡＭ４５３上の投票データ４０７が、原本用メディア４０８に対して書き込まれる。
【０１４８】
ＲＡＭ４５３上のキャッシュの吐き出しが行われた後に、原本用メディア４０８上に作成された投票データ４０７のファイルをオープンしてＲＡＭ上に再び読込んで、比較、照合（ベリファイ）が行われ、確実にされたことが確認される。そして、投票ログの書込みが原本用メディア４０８に対して行われる。図には示されていないが、投票ログの書込みにおいても、キャッシュを吐き出した後に、生成された投票ログファイルを読み込んで、ベリファイが行われる。
【０１４９】
次に、原本用メディア４０８への投票データ４０７及び投票ログ４０７５の書込みが終了すると、投票プログラム４０４により、投票が確定されたことを投票者に報知するための投票確定ＬＥＤ２０３４を点灯させるための信号がＧＰＩＯポートに出力される。
【０１５０】
次に、投票確定２０３４が点灯すると、投票プログラム４０４により、複写用メディア４０９に対して、投票データ４０７及び投票ログ４０７５の複製処理が行われる。すなわち、投票プログラム４０４により、複写用メディア４０９上のファイルがオープンされ、ＲＡＭ４５３に記憶された投票データ４０７が書き込んだ後にファイルをクローズする。そして、ＲＡＭ４５３上のキャッシュの吐き出しが完了した後に、再びファイルオープンして、ＲＡＭ上に読込み、ファイルクローズした後にＲＡＭ上のデータを比較してベリファイを行なう。そして、投票ログ４０７５の複製についても、同様に記録及びキャッシュ吐き出しが行われる。
【０１５１】
次に、原本用メディア４０８および複写用メディア４０９に対して、投票データ４０７及び投票ログ４０７５の記録が終了すると、投票プログラム４０４により、遠隔制御信号受信部に対して、投票開始信号４０６を排出させる命令が送信される。投票開始信号が搬送機構により機械的に排出されると、投票プログラム４０４は、原本用メディア４０８及び複写用メディア４０９に対して、ログの記録を行なう。このとき、これまでの処理と同様に、それぞれの記録媒体への書込みが終了してファイルをクローズする度に、キャシュの吐き出しを行って、その後に、ファイルオープンして書き込まれたデータのベリファイが行われる。
【０１５２】
次に、投票者によって、排出された投票開始信号が遠隔制御信号受信部２０３２より抜き取られると、投票確定ＬＥＤ２０３４及び操作表示灯２０３０１ｂに出力されていた信号をＯＦＦにする命令が、投票プログラム４０４により出力される。操作表示灯２０３０１ｂが消灯することにより、投票管理者や投票立会人に対して、投票が終了したことが報知される。これらの処理に対する投票ログ４０７５も、同様に、原本用メディア４０８及び複写用メディア４０９に対して記録される。
【０１５３】
【発明の効果】
以上詳述したように、本発明は、外部からの制御信号を受信して、電子投票装置を投票可能な状態にするようにして、その後、選挙人の投票が終了する毎に投票不可能な状態に切り換えて投票終了とすることで、投票カードに起因する機械的な機構を排除でき、信頼性が高い電子投票装置を提供することができる。
また、外部からの制御信号に電子投票装置を識別するための第１の識別コードを付加することにより、投票に使用する電子投票装置を選択して、投票可能な状態とする電子投票装置を提供することができる。
更には、選挙人の身体特性に応じた候補者表示手段と投票入力手段とを有した電子投票装置においては、選挙人の身体特性を識別する第２の識別コードをにより選挙人の身体特性に応じた電子投票装置を選択して、投票可能な状態とする電子投票装置を提供することができる。
【図面の簡単な説明】
【図１】本実施例に適用される遠隔制御装置と電子投票装置による投票所システムの概略構成図である。
【図２】本実施例に適用される電子投票のシステムの全体構成の一例を示す図である。
【図３】本実施例に適用される電子投票装置の外装の一例を示す斜視図である。
【図４】本実施例に適用される電子投票装置の外装に係る別の一例を示す斜視図である。
【図５】本実施例に適用される電子投票装置の外装の一例を示す上面図である。
【図６】本実施例に適用される電子投票装置の外装の一例を示す正面図である。
【図７】本実施例に適用される電子投票装置の外装の一例を示す正面図（フロントドアオープン時）である。
【図８】本実施例に適用される電子投票装置の外装の一例を示す背面図である。
【図９】本実施例に適用される電子投票装置内部のハードウェア構成の一例を示す図である。
【図１０】本実施例に適用される電子投票装置内部のＲＡＭのデータ構造の一例を示す図である。
【図１１】本実施例に適用されるシリコンディスク内部のデータ構造の一例を示す図である。
【図１２】本実施例に適用される電子投票プログラムの構造の一例を示す図である。
【図１３】本実施例に適用される候補者データの構造の一例を示す図である。
【図１４】本実施例に適用される候補者データを構成する候補者テーブル（選挙ＩＤ＝１用）の一例を示す図である。
【図１５】本実施例に適用される候補者データを構成する政党テーブルの一例を示す図である。
【図１６】本実施例に適用される候補者データを構成する投票所グループテーブルの一例を示す図である。
【図１７】本実施例に適用される候補者データを構成する固定画面レイアウトテーブルの一例を示す図である。
【図１８】本実施例に適用される候補者データを構成する投票画面レイアウトテーブル（選挙ＩＤ＝１用）の一例を示す図である。
【図１９】本実施例に適用される候補者データを構成する表示メッセージテーブルの一例を示す図である。
【図２０】本実施例に適用される電子投票装置内部に格納される原本用メディアのデータ構造の一例を示す図である。
【図２１】本実施例に適用される電子投票装置内部に格納される複写用メディアのデータ構造の一例を示す図である。
【図２２】本実施例に適用される遠隔制御信号により伝送されるデータ構造の一例を示す図である。
【図２３】本実施例に適用される投票フラグのデータ構造の一例を示す図である。
【図２４】本実施例に適用される投票プログラムを構成する遠隔制御信号読取部の処理の流れの一例を示すフローチャートである。
【図２５】本実施例に適用される投票プログラムを構成する投票制御部の処理の流れの一例を示すフローチャートである。
【図２６】本実施例に適用される投票プログラムを構成する投票制御部における候補者選択画面投票制御部の処理の流れの一例を示すフローチャートである。
【図２７】本実施例に適用される投票プログラムを構成する投票データ記録部の処理の流れの一例を示すフローチャートである。
【図２８】本実施例に適用される電子投票装置のＬＣＤに表示される投票開始信号入力待ち画面の一例を示す図である。
【図２９】本実施例に適用される電子投票装置の候補者選択画面の一例を示す図である。
【図３０】本実施例に適用される電子投票装置の候補者選択画面（ボタン押下時）の一例を示す図である。
【図３１】本実施例に適用される電子投票装置の候補者選択画面（２８名表示）の一例を示す図である。
【図３２】本実施例に適用される電子投票装置の投票進捗画面の一例を示す図である。
【図３３】本実施例に適用される電子投票装置の候補者確認画面の一例を示す図である。
【図３４】本実施例に適用される電子投票装置の棄権確認画面の一例を示す図である。
【図３５】本実施例に適用される電子投票装置の選挙終了画面の一例を示す図である。
【図３６】本実施例に適用される電子投票装置の選挙終了確認画面の一例を示す図である。
【図３７】本実施例に適用される電子投票装置の複写用メディアの記録障害発生を報知する画面の一例を示す図である。
【図３８】本実施例に適用される電子投票装置に致命的なエラーが発生したことを報知する画面の一例を示す図である。
【図３９】本実施例に適用される投票モードを規定する選挙人特性ＩＤの一例を示す図である。
【図４０】本実施例に適用される電子投票システムの運営方法による単一選挙（単記式）の投票の流れの一例を示すフローチャートである。
【符号の説明】
１００  選挙データ作成システム
１０１  選挙データ管理作成機
１０２  選挙データメディアコピー機
２００  投票所システム
２０１  遠隔制御装置（カード発行機）
２０２  発行機用メディア
２０２ａ  リムーバブルメディア
２０３、２０３ｓ１、２０３ｓ２、２０３ｓＮ  電子投票装置（投票機）
３００  開票所システム
３０１  集計機（投票データ集計機）
４００  選挙データマスター
４０１  候補者データ（選挙データ）
４０１ａ１  候補者テーブル
４０１ｂ  政党テーブル
４０１ｃ  投票所グループテーブル
４０１ｄ  固定画面レイアウトテーブル
４０１ｅ１  投票画面レイアウトテーブル
４０１ｆ  表示メッセージテーブル
４０３  カード認証キー（認証キー）
４０４  電子投票プログラム（投票プログラム）
４０５  運用管理信号（管理者カード）
４０６  投票開始信号
４０７  投票データ
４０８  原本用メディア（原本）
４０９  複写用メディア（副本、複写、複製）
４１１  オペレーティングシステム（ＯＳ）
４１２  シリアルＩ／Ｏ制御部
４１３  ウインドウ制御部
４１４  ファイル制御部
４１５  カード制御部
４１６  タッチパネル制御プログラム
４１７  プリンタ制御プログラム
４１８  ジャンクションボックス制御プログラム
４３１  カード読取部
４３２  選挙データ読込部
４３３  投票画面作成部
４３４  投票データ記録部
４３５  投票制御部
４３６  ローディングプログラム（プログラムローダー）
４３２ａ  候補者データ読取部
４５０  マザーボード
４５１  ＣＰＵ
４５２  ＲＯＭ
４５３  ＲＡＭ（ＲＡＭディスク）
４５４  シリコンディスク（システムディスク）
４５４ｂ  ローカルディスク領域
４５５  ジャンクション基板（バリアフリー入出力デバイスＩＦ）
４５６  ＶＲＡＭ（ビデオＲＡＭ）
４５７  ＣＬＯＣＫ（内蔵クオーツ時計）
２０２１  選挙人特性ＩＤ（身体障害特性）
２０２２  投票フラグ
２０３０  フロントドア
２０３０ａ  南京錠
２０３０ｂ  ロックブラケット
２０３１  ディスプレイユニット
２０３１ａ  スタイラスペン
２０３１ｂ  ペンホルダ
２０３２  カード記録読取手段（カードリーダライタ、遠隔制御信号受信部、ＩＣカードリーダライタ）
２０３２ａ  カードガイドＬＥＤ（カード挿入ガイドＬＥＤ）
２０３３  スピーカ
２０３３ａ  ボリューム
２０３４  投票確定ＬＥＤ（投票確定確認用ＬＥＤ）
２０３５  スライドカバー
２０３６  ＬＣＤ角度調整アーム
２０３７  運動機能障害用プッシュスイッチ端子
２０３８  視覚障害者用専用キーボード端子
２０３９  ヘッドホン端子
４０５５  投票所ＩＤ（管理ＩＤ，管理識別ＩＤ，管理識別コード、乱数）
４０７５  投票ログ
４０６１ａ  ＩＣ接触端子（外部接触端子）
２０３０１ａ  電源表示灯
２０３０１ｂ  操作表示灯
２０３０１ｃ  ポール
２０３０１ｄ  状態表示灯ケーブル
２０３０２  外部ディスプレイ端子
２０３０７  シリコンディスク格納部
２０３０８  電源ＬＥＤ（ＡＣ電源供給監視用ＬＥＤ）
２０３１０  フロントドア開閉センサ
２０３１１  ＬＣＤ（液晶ディスプレイ）
２０３１２  インバータ
２０３１３  タッチパネル
２０３１４  内蔵電池（内部バッテリ）
２０３１５  直流電源（ＤＣ電源）
２０３１６  交流電源（ＡＣ電源）
２０３７１  運動機能障害用プッシュスイッチ
２０３８１  視覚障害者用専用キーボード
２０３９１  音量調整付きヘッドホン（ヘッドホン）
【図１】
2004295779.tif 000003
【図２】
2004295779.tif 000004
【図３】
2004295779.tif 000005
【図４】
2004295779.tif 000006
【図５】
2004295779.tif 000007
【図６】
2004295779.tif 000008
【図７】
2004295779.tif 000009
【図８】
2004295779.tif 000010
【図９】
2004295779.tif 000011
【図１０】
2004295779.tif 000012
【図１１】
2004295779.tif 000013
【図１２】
2004295779.tif 000014
【図１３】
2004295779.tif 000015
【図１４】
2004295779.tif 000016
【図１５】
2004295779.tif 000017
【図１６】
2004295779.tif 000018
【図１７】
2004295779.tif 000019
【図１８】
2004295779.tif 000020
【図１９】
2004295779.tif 000021
【図２０】
2004295779.tif 000022
【図２１】
2004295779.tif 000023
【図２２】
2004295779.tif 000024
【図２３】
2004295779.tif 000025
【図２４】
2004295779.tif 000026
【図２５】
2004295779.tif 000027
【図２６】
2004295779.tif 000028
【図２７】
2004295779.tif 000029
【図２８】
2004295779.tif 000030
【図２９】
2004295779.tif 000031
【図３０】
2004295779.tif 000032
【図３１】
2004295779.tif 000033
【図３２】
2004295779.tif 000034
【図３３】
2004295779.tif 000035
【図３４】
2004295779.tif 000036
【図３５】
2004295779.tif 000037
【図３６】
2004295779.tif 000038
【図３７】
2004295779.tif 000039
【図３８】
2004295779.tif 000040
【図３９】
2004295779.tif 000041
【図４０】
2004295779.tif 000042